(57)【特許請求の範囲】
【請求項１】
赤外線記録装置であって、
サーモグラフィデータを取得するための取得部と、
情報記憶部が記憶した複数の被写体情報に基づいて、特別被写体情報としての被写体情報を指定するための情報指定部と、
表示部に、前記サーモグラフィデータが生成する赤外線サーモグラフィを表示させると同時に、特別表示の方式で、情報指定部が指定した特別被写体情報に基づいて取得した被写体指示情報を表示し、ここで、規定数量の被写体情報が取得した被写体指示情報を表示させ、他の被写体指示情報と区別できる表示方式により、前記特別被写体情報が取得した被写体指示情報を特別に表示するための表示制御部と、
記録指示操作に応答し、または規定記録条件に基づいて、取得部を通して取得したサーモグラフィデータ、及び／または取得部を通して取得したサーモグラフィデータに規定処理を行って取得したデータである規定の赤外線データと、指定された特別被写体情報に関する情報を関連付けて記録するための記録部と、を含み、
前記赤外線サーモグラフィを表示するための表示インターフェースと、規定数量の被写体指示情報を表示するための表示インターフェースとは、ユーザが赤外線サーモグラフィと前記規定数量の被写体指示情報とを同時に観察できるように配置され、情報記憶部における各被写体情報は複数の規定属性の属性情報を含み、被写体情報に基づいて取得する被写体指示情報は、被写体情報の全部または規定の一部の情報により取得することができ、
前記記録部は、前記サーモグラフィファイルのファイル名を生成するためのファイル名生成ユニットを有し、前記ファイル名には指定の特別被写体情報と関連する情報を含み、
前記情報指定部は、切換指示操作に応答し、または規定の切換条件に基づいて、被写体情報のソート順序に従って、指定した特別被写体情報に対する切換を行う、
赤外線記録装置。
【請求項２】
赤外線記録装置であって、
サーモグラフィデータを取得するための取得部と、
ユーザの選択に基づいて、その中の特別被写体情報としての被写体情報を指定する情報指定部と、
表示部に、前記サーモグラフィデータが生成する赤外線サーモグラフィを表示させると同時に、情報記憶部が記憶した複数の被写体情報に基づき、被写体情報のソート順序に基づいて、規定数量の被写体指示情報を表示し、ここで、規定数量の被写体情報が取得した被写体指示情報を表示させ、他の被写体指示情報と区別できる表示方式により、前記特別被写体情報が取得した被写体指示情報を特別に表示するための表示制御部と、
記録指示操作に応答し、または規定記録条件に基づいて、取得部を通して取得したサーモグラフィデータ、及び／または取得部を通して取得したサーモグラフィデータに規定処理を行って取得したデータである規定の赤外線データと、指定された特別被写体情報に関する情報を関連付けて記録するための記録部と、を含み、
前記赤外線サーモグラフィを表示するための表示インターフェースと、規定数量の被写体指示情報を表示するための表示インターフェースとは、ユーザが赤外線サーモグラフィと前記規定数量の被写体指示情報とを同時に観察できるように配置され、情報記憶部における各被写体情報は複数の規定属性の属性情報を含み、被写体情報に基づいて取得する被写体指示情報は、被写体情報の全部または規定の一部の情報により取得することができ、
前記記録部は、前記サーモグラフィファイルのファイル名を生成するためのファイル名生成ユニットを有し、前記ファイル名には指定の特別被写体情報と関連する情報を含み、
前記表示制御部が、表示部に、前記サーモグラフィデータが生成する赤外線サーモグラフィを表示させると同時に、特別表示の方式で、情報指定部が指定した特別被写体情報に基づいて取得した被写体指示情報を表示する、
赤外線記録装置。
【請求項３】
前記取得部は、連続してサーモグラフィデータを取得し、
前記表示制御部は、表示部に、連続して取得したサーモグラフィデータが生成する動的な赤外線サーモグラフィを表示させると同時に、特別な方式で、情報指定部が指定した特別被写体情報に基づいて取得した被写体指示情報を表示させ、
前記表示制御部は、被写体情報のソート順序に基づいて、規定数量の被写体情報が取得した被写体指示情報を表示させ、他の被写体指示情報と区別できる表示方式により、前記特別被写体情報が取得した被写体指示情報を特別に表示することを特徴とする、請求項１または２に記載の赤外線記録装置。
【請求項４】
特別表示する被写体指示情報は、ユーザによる撮影した被写体、撮影した被写体の部材、撮影した被写体の撮影角度のうち一つまたは複数の確認に使用されることを特徴とする、請求項１〜３のいずれか一項に記載の赤外線記録装置。
【請求項５】
特別表示する被写体指示情報には、被写体の身分を代表する情報、または被写体部材、撮影角度を代表する情報のうち少なくとも一つと被写体の身分を代表する情報を含むことを特徴とする、請求項１〜４のいずれか一項に記載の赤外線記録装置。
【請求項６】
同一操作に基づき、及び／または規定条件により、前記記録部が、規定の赤外線データと指定された特別被写体情報に関する情報を関連付けて記録するために用いられ、前記情報指定部が、前記ソート順序に基づいて、指定された特別被写体情報に対して切換を行うことを特徴とする、請求項３に記載の赤外線記録装置。
【請求項７】
情報記憶部に記憶された被写体情報の中から被写体情報を確定するためのタスク確定部と、前記情報指定部は、タスク確定部が確定した被写体情報の中から、特別被写体情報としての被写体情報を指定し、かつ、前記情報指定部が、切換指示操作に応答し、または規定の切換条件によって、前記タスク確定部が確定した被写体情報を基に、被写体情報のソート順序に基づいて、指定した特別被写体情報に対する切換を行うことを特徴とする、請求項１〜６のいずれか一項に記載の赤外線記録装置。
【請求項８】
規定のフィルタリング条件に基づいて、情報記憶部に記憶した被写体情報から被写体情報を確定するためのタスク確定部と、を含み、
前記表示制御部は、タスク確定部により確定した複数の被写体情報に基づき、被写体情報のソート順序に従って、規定数量の被写体指示情報を表示することを特徴とする、請求項１〜６のいずれか一項に記載の赤外線記録装置。
【請求項９】
規定のソート要素に基づいて被写体情報をソートしてソート順序を確定するためのソート確定部と、
被写体情報のソート要素を設定するために用いるソート設定部と、を有し、
前記ソート設定部は、ソートに関するキーワードを確定するためのキーワード確定ユニットと、キーワードのソート要素を確定するためのソート要素確定ユニットと、を有し、前記ソート設定部が、第１キーワードソート要素、または第１キーワードソート要素を補助キーワードソート要素と結合させることにより、被写体情報のソート要素を取得するために用いられることを特徴とする、請求項１〜８のいずれか一項に記載の赤外線記録装置。
【請求項１０】
前記ファイル名は、少なくとも被写体場所、被写体類型、番号に関連する情報、または被写体場所、被写体類型、番号と関連する情報と時間、被写体部材、被写体撮影角度情報のうち一つもしくは複数とを含むことを特徴とする、請求項１〜９のいずれか一項に記載の赤外線記録装置。
【請求項１１】
前記タスク確定部は、規定のフィルタリング条件に基づいて被写体情報を確定し、
被写体情報のフィルタリング条件を設定するために用いられるタスク設定部を、有し、
フィルタリング条件に関するキーワードは、被写体に関する帰属部署、分類等級、型番、製造メーカ、性能および特性、撮影履歴、メンテナンス履歴、製造日付、使用期限、拠点、被写体区域、類型、過去撮影時間、撮影角度、被写体部材のうちの一つ又は複数であることを特徴とする、請求項７または８に記載の赤外線記録装置。
【請求項１２】
赤外線記録方法であって、
サーモグラフィデータを取得するための取得ステップと、
ユーザの選択に基づいて、その中の特別被写体情報としての被写体情報を指定するための情報指定ステップと、
表示部に、前記サーモグラフィデータが生成する赤外線サーモグラフィを表示させると同時に、情報記憶部が記憶した複数の被写体情報に基づき、被写体情報のソート順序に基づいて、規定数量の被写体指示情報を表示し、ここで、規定数量の被写体情報が取得した被写体指示情報を表示させ、他の被写体指示情報と区別できる表示方式により、前記特別被写体情報が取得した被写体指示情報を特別に表示するための表示制御ステップと、
記録指示操作に応答し、または規定記録条件に基づいて、取得ステップを通して取得したサーモグラフィデータ、及び／または取得ステップを通して取得したサーモグラフィデータに規定処理を行って取得したデータである規定の赤外線データと、指定された特別被写体情報に関する情報を関連付けて記録するための記録ステップと、を含み、
前記赤外線サーモグラフィを表示するための表示インターフェースと、規定数量の被写体指示情報を表示するための表示インターフェースとは、ユーザが赤外線サーモグラフィと前記規定数量の被写体指示情報とを同時に観察できるように配置され、情報記憶部における各被写体情報は複数の規定属性の属性情報を含み、被写体情報に基づいて取得する被写体指示情報は、被写体情報の全部または規定の一部の情報により取得することができ、
前記記録ステップでは、規定の赤外線サーモグラフィにより生成されるサーモグラフィファイルに対して、前記サーモグラフィファイルのファイル名を生成するためのファイル名生成ステップを有し、前記ファイル名には指定の特別被写体情報と関連する情報を含み、
前記表示制御ステップでは、表示部に、前記サーモグラフィデータが生成する赤外線サーモグラフィを表示させると同時に、特別表示の方式で、情報指定ステップで指定した特別被写体情報に基づいて取得した被写体指示情報を表示する、
赤外線記録方法。
【請求項１３】
赤外線記録方法であって、
サーモグラフィデータを取得するための取得ステップと、
情報記憶部が記憶した複数の被写体情報に基づいて、特別被写体情報としての被写体情報を指定するための情報指定ステップと、
表示部に、前記サーモグラフィデータが生成する赤外線サーモグラフィを表示させると同時に、特別表示の方式で、情報指定ステップで指定した特別被写体情報に基づいて取得した被写体指示情報を表示するための表示制御ステップと、
記録指示操作に応答し、または規定記録条件に基づいて、取得ステップを通して取得したサーモグラフィデータ、及び／または取得ステップを通して取得したサーモグラフィデータに規定処理を行って取得したデータである規定の赤外線データと、指定された特別被写体情報に関する情報を関連付けて記録するための記録ステップと、を含み、
前記赤外線サーモグラフィを表示するための表示インターフェースと、規定数量の被写体指示情報を表示するための表示インターフェースとは、ユーザが赤外線サーモグラフィと前記規定数量の被写体指示情報とを同時に観察できるように配置され、情報記憶部における各被写体情報は複数の規定属性の属性情報を含み、被写体情報に基づいて取得する被写体指示情報は、被写体情報の全部または規定の一部の情報により取得することができ、
前記記録ステップでは、規定の赤外線サーモグラフィにより生成されるサーモグラフィファイルに対して、前記サーモグラフィファイルのファイル名を生成するためのファイル名生成ステップを有し、前記ファイル名には指定の特別被写体情報と関連する情報を含み、
前記情報指定ステップは、切換指示操作に応答し、または規定の切換条件に基づいて、被写体情報のソート順序に従って、指定した特別被写体情報に対して切換を行う、
赤外線記録方法。
【請求項１４】
特別表示する被写体指示情報は、ユーザによる撮影した被写体、撮影した被写体の部材、撮影した被写体の撮影角度のうち一つまたは複数の確認に使用され、
前記ソート順序は、撮影した被写体、被写体の部材、被写体の撮影角度、特定経路中の被写体のうち一つまたは複数の撮影順序を代表することを特徴とする、請求項１２または１３に記載の赤外線記録方法。
【請求項１５】
特別表示する被写体指示情報には、被写体の身分を代表する情報、または被写体部材、撮影角度を代表する情報のうち少なくとも一つと被写体の身分を代表する情報を含むことを特徴とする、請求項１２〜１４のいずれか一項に記載の赤外線記録方法。
【請求項１６】
同一操作に基づき、及び／または規定条件に従って、前記記録ステップが、規定の赤外線データと切換前に指定された特別被写体情報に関する情報を関連付けて記録するために用いられ、前記情報指定ステップが、前記ソート順序に基づいて、切換前に指定された特別被写体情報に対して切換を行うことを特徴とする、請求項１３に記載の赤外線記録方法。
【請求項１７】
情報記憶部に記憶された被写体情報の中から被写体情報を確定するためのタスク確定ステップを有し、
前記情報指定ステップでは、タスク確定ステップが確定した被写体情報の中から、特別被写体情報としての被写体情報を指定するために用いられ、
前記表示制御ステップでは、タスク確定ステップで確定した複数の被写体情報に基づいて、被写体情報のソート順序に従って規定数量の被写体指示情報を表示させ、さらに特別表示の方式で、情報指定ステップで指定した特別被写体情報に基づいて取得した被写体指示情報を表示させ、
前記情報指定ステップでは、切換指示操作に応答し、または規定の切換条件に基づいて、前記タスク確定ステップが確定した被写体情報を基に、被写体情報のソート順序により、指定した特別被写体情報に対して切換を行う、請求項１３に記載の赤外線記録方法。
【請求項１８】
前記タスク確定ステップでは、規定のフィルタリング条件に基づいて、被写体情報を確定し、
被写体情報のフィルタリング条件を設定するためのタスク設定ステップと、含み、
フィルタリング条件に関するキーワードは、被写体に関する帰属部署、分類等級、型番、製造メーカ、性能および特性、撮影履歴、メンテナンス履歴、製造日付、使用期限、拠点、被写体区域、類型、過去撮影時間、撮影角度、被写体部材のうちの一つ又は複数であることを特徴とする、請求項１７に記載の赤外線記録方法。
【発明の詳細な説明】
【技術分野】
【０００１】
本発明の赤外線記録装置及び赤外線記録方法は、赤外線記録装置、赤外線処理装置、及び赤外線記録の応用分野に係わる。
【背景技術】
【０００２】
赤外線サーモグラフィは、可視光画像と異なる。撮影した可視光画像では、往々にして画像中の情報を通じて撮影された被写体を確認できる。たとえば、色、表示ラベル、形状などを識別することにより被写体を確認できる。しかし、赤外線サーモグラフィでは、簡単には画像中の情報を通じて撮影された特定の被写体を確認できない。たとえば、通常は色、表示ラベルなどから撮影された特定の被写体を有効に識別できない。このため、撮影時において、ユーザは非常に容易に撮影漏れを起こしてしまう。
【０００３】
また、赤外線検査撮影では、通常互いに類似する大量の被写体の撮影が必要となることが多く、さらに、類似の被写体では、同一または異なる類型を有することも可能である。例えば変電所において、類型がスイッチである被写体といっても、設備エリアが異なる複数のクループの被写体が存在し、往々にして複数のグループの被写体は隣接していることも可能である。なお、同じグループの被写体であっても、Ａ，Ｂ，Ｃといった異なる相別の番号を有し、外形が完全同一である三つの異なる被写体が存在することもある。このような同じ類型を有する異なる被写体は、赤外線画像ではほぼ同じく表示されるため、撮影時において、ユーザは非常に容易に撮影漏れを起こしてしまい、撮影が混交乱雑になり、効率が低下する。このようなことは、多角度の撮影、または同一の被写体の複数の部材（例えば特定の部品や特定の部位）を撮影することが必要である際にさらに深刻となる。
【０００４】
現在、サーモグラフィ装置で撮影して取得したサーモグラフィファイルは、時間または連番によりファイル名が生成されている。後で整理保存及び分析し、かつ被写体に対応するサーモグラフィファイルを区別するために、赤外線検出時に、ユーザは、被写体に対する認知または現場のプレートに基づいて被写体情報に対応し、記録しなければならず、現在常用されている記録方式には、サーモグラフィファイルのファイル名と対応する被写体情報を人為的に紙上に記録したり、サーモグラフィファイル中に現場の被写体情報の音声注釈を付加したりする方式がある。しかし上記の方式には、操作がしにくい、エラーが多い、撮影速度に影響する、後続の整理作業量が多いといった様々な不便さが存在している。
【０００５】
また、大量なサーモグラフィファイルに対してバッチ処理分析を行うような後続処理では、各サーモグラフィファイルの被写体サーモグラフィのそれぞれに対応する被写体情報を取得する必要がある。これにより、コンピュータによる被写体サーモグラフィに対する自動バッチ処理が完成できる。しかしながら、既存の人為的の記録は、後続処理として、人為的に記録した被写体情報に基づいて、サーモグラフィファイルに対して人為的に命名するなど被写体情報と関連付ける作業が必要となり、後続の整理作業量が巨大で、間違いやすい。
【０００６】
さらに、上述した原因などにより、ユーザは、赤外線サーモグラフィ中の情報を識別することで簡単に被写体情報を対応付けることができなくなり、撮影時に被写体情報を人為的に記録することと後続の人為的に命名して整理する作業の不便がさらに深刻となる。
【０００７】
サーモグラフィ検査技術が応用されてからも、記録されたサーモグラフィファイルと被写体情報を、便利に、スピーディに関連付ける適切な手段はない。当業者は、上述の問題を解決する試みを続けている。例えば、ＧＰＳ装置をさらに取り付けたサーモグラフィ撮影装置は、電力回路の撮影において、ＧＰＳ提示情報を示すことができ、ＧＰＳ情報をサーモグラフィファイルと関連付けて記録することができる。しかしながら、ユーザは、簡単にはＧＰＳ情報を通じて対応する撮影が必要な特定の被写体を理解できない。さらに、同一の場所に密集されている複数の被写体を別々に撮影して記録する必要がある際、関連付けて記録したＧＰＳ情報を具体的に複数の被写体のうちから特定の被写体と対応付けることができない。上述の既存技術も、容易に撮影漏れを起こしてしまう問題を解決できない。どのようにしてサーモグラフィファイルを対応する被写体登場と関連付けて記録するかは目の前に存在する問題である。
【０００８】
よって、目の前に存在する問題を解決する赤外線記録装置が必要であることがわかる。
【発明の概要】
【発明が解決しようとする課題】
【０００９】
本発明では、撮影しようとする被写体を表すような複数の被写体情報に基づき、撮影時に、その中から特別被写体情報としての被写体情報を指定する赤外線記録装置及び赤外線記録方法を提供する。ユーザは、これにより被写体の撮影を行い、かつ赤外線データと指定された特別被写体情報に関する情報を関連付けて記録するので、被写体情報のソート順序（撮影順序として）に基づいて、被写体指示情報を表示し、または切り換えることができ、検索や選択を行う必要がなく、またはそれらが容易である。よって、撮影の速度が速くなり、遺漏しにくく、操作が簡単なことは明らかである。
【課題を解決するための手段】
【００１０】
そのため、本発明では、以下の技術的解決手段、即ち、
サーモグラフィデータを取得するための取得部と、情報記憶部に記憶された複数の被写体情報に基づいて、特別被写体情報としての被写体情報を指定するための情報指定部と、
記録指示操作に応答し、または規定記録条件に基づいて、取得部が取得したサーモグラフィデータ、及び／または取得部を通して取得したサーモグラフィデータに規定処理を行って得たデータである規定の赤外線データと、指定された特別被写体情報に関する情報を関連付けて記録するための記録部と、を含み、
前記情報指定部は、切換指示操作に応答し、または規定の切換条件に基づいて、情報記憶部に記憶された被写体情報を基に、被写体情報のソート順序に従って、指定した特別被写体情報に対する切換を行う赤外線記録装置を採用する。
【００１１】
もう１つの技術的解決手段である赤外線撮影装置は、サーモグラフィデータを取得するための取得部と、情報記憶部が記憶した複数の被写体情報に基づき、被写体情報のソート順序に基づいて、規定数量の被写体指示情報を表示するための表示制御部と、ユーザの選択に基づいて、その中の特別被写体情報としての被写体情報を指定する情報指定部と、記録指示操作に応答し、または規定記録条件に基づいて、取得部を通して取得したサーモグラフィデータ、及び／または取得部を通して取得したサーモグラフィデータに規定処理を行って取得したデータである規定の赤外線データと、指定された特別被写体情報に関する情報を関連付けて記録するための記録部と、を含む。
【００１２】
本発明の赤外線記録方法は、
サーモグラフィデータを取得するための取得ステップと、
情報記憶部が記憶した複数の被写体情報に基づいて、特別被写体情報としての被写体情報を指定するための情報指定ステップと、
記録指示操作に応答し、または規定記録条件に基づいて、取得ステップを通して取得したサーモグラフィデータ、及び／または取得ステップを通して取得したサーモグラフィデータに規定処理を行って取得したデータである規定の赤外線データと、指定された特別被写体情報に関する情報を関連付けて記録するための記録ステップと、を含み、
前記情報指定ステップは、切換指示操作に応答し、または規定の切換条件に基づいて、情報記憶部に記憶された被写体情報を基に、被写体情報のソート順序に従って、指定した特別被写体情報に対して切換を行う。
【００１３】
また、本発明では、赤外線記録装置中で実行するプログラムであるコンピュータプログラムを提供しており、前記コンピュータプログラムが、赤外線記録装置に、
サーモグラフィデータを取得するための取得ステップと、
情報記憶部が記憶した複数の被写体情報に基づいて、特別被写体情報としての被写体情報を指定するための情報指定ステップと、
記録指示操作に応答し、または規定記録条件に基づいて、取得ステップを通して取得したサーモグラフィデータ、及び／または取得ステップを通して取得したサーモグラフィデータに規定処理を行って取得したデータである規定の赤外線データと、指定された特別被写体情報に関する情報を関連付けて記録するための記録ステップと、を実行させ、
前記情報指定ステップが、切換指示操作に応答し、または規定の切換条件に基づいて、情報記憶部に記憶された被写体情報を基に、被写体情報のソート順序に従って、指定した特別被写体情報に対して切換を行う。
【００１４】
本発明の実施形態では、コンピュータプログラムを記憶したリーダブル記憶媒体も提供しており、そのうち、前記コンピュータプログラムが、赤外線記録装置に、
サーモグラフィデータを取得するための取得ステップと、
情報記憶部が記憶した複数の被写体情報に基づき、被写体情報のソート順序に基づいて、規定数量の被写体指示情報を表示するための表示制御ステップと、
ユーザの選択に基づいて、その中の特別被写体情報としての被写体情報を指定するための情報指定ステップと、
記録指示操作に応答し、または規定記録条件に基づいて、取得ステップを通して取得したサーモグラフィデータ、及び／または取得ステップを通して取得したサーモグラフィデータに規定処理を行って取得したデータである規定の赤外線データと、指定された特別被写体情報に関する情報を関連付けて記録するための記録ステップと、を実行させる。
【００１５】
本発明のその他の面及び長所については、以下の明細書により説明する。
【図面の簡単な説明】
【００１６】
【図１】実施例の赤外線記録装置の電気構造ブロック図である。
【図２】実施例の赤外線記録装置の外形図である。
【図３】タスク及びソートの設定メニューを表す表示インターフェース図である。
【図４】情報モードの１つの例を表す制御フローチャートである。
【図５】情報記憶部に記憶された被写体情報のイメージリストの例である。
【図６】ソート設定過程の一例の設定インターフェースの概略図である。
【図７】ソート設定後に取得する被写体情報に対応するソート要素の一例である。
【図８】特別表示する被写体指示情報の切換前後の一例の表示インターフェース図である。
【図９】特別表示する被写体指示情報の２つの例の表示インターフェース図である。
【図１０】記録したサーモグラフィファイルのデータ構造の一例の概略図である。
【図１１】変電所１における設備エリア１、２、３内の被写体分布及び実施例１の被写体に対応するソート順序に基づく撮影経路の概略図である。
【図１２】情報モードのもう１つの例を表す制御フローチャートである。
【図１３】フィルタリング条件の一例の設定インターフェースの概略図である。
【図１４】フィルタリング条件のもう１つの例の設定インターフェースの概略図である。
【図１５】情報記憶部に記憶された被写体情報のイメージリストのもう１つの例である。
【図１６】フィルタリング条件に基づいてフィルタリングした被写体情報のイメージリストのもう１つの例である。
【図１７】ソート順序の調整前後の表示インターフェース図である。
【図１８】グループ設定インターフェースの一例の設定インターフェースの概略図である。
【図１９】情報モードのもう１つの例を表す制御フローチャートである。
【図２０】フィルタリング条件のもう１つの例の設定インターフェースの概略図である。
【図２１】データファイル１、２、３に含まれる被写体情報のイメージリスト、及びグループソートとフィルタリングを経て確定された被写体情報及びソート順序のイメージリストの例である。
【図２２】実施例３に基づくソート順序の撮影経路の概略図である。
【図２３】実施例４の赤外線処理装置１００とサーモグラフィ収集装置１０１を接続して構成する赤外線撮影システムで実施する電気構造のブロック図である。
【図２４】赤外線処理装置１００とサーモグラフィ収集装置１０１を接続して構成する赤外線撮影システムの実施の概略図である。
【発明を実施するための形態】
【００１７】
以下では、本発明の実施例を紹介する。本発明の実施例１では、サーモグラフィ撮影機能を有する赤外線記録装置（以下、サーモグラフィ装置と略称する）を例示しているが、
サーモグラフィデータを連続受信する処理装置、例えばパーソナルコンピュータやＰＤＡなどの処理装置にも適用することができる。
【００１８】
また、以下に言うサーモグラフィデータとは、サーモグラフィＡＤ値データを指しているが、サーモグラフィデータはサーモグラフィＡＤ値データに限定されるわけではなく、赤外線サーモグラフィのイメージデータや、温度値のアレイデータ、またはこれらのデータの中の１種または数種を混合した圧縮データなどでもよい。
【００１９】
ここでは、図面に基づいて、本発明の典型的な実施例を詳細に説明する。以下で説明しようとする実施例は、本発明をより正しく理解するためのものであり、本発明の範囲を限定するものではなく、また本発明の範囲内の各種の形式を変更することもできるという点に注意すべきである。
【００２０】
図１は、実施例１のサーモグラフィ装置の電気構造ブロック図である。図２は、実施例１のサーモグラフィ装置の外形図である。
【００２１】
サーモグラフィ装置１３は、撮影部１と、イメージ処理部２と、表示制御部３と、表示部４と、通信Ｉ／Ｆ５と、一時記憶部６と、メモリカードＩ／Ｆ７と、メモリカード８と、フラッシュメモリ９と、操作部１１と、制御部１０とを有し、制御部１０は、データバス１２と上記の対応する部分との接続を制御することにより、サーモグラフィ装置１３の全体制御を担っている。
【００２２】
撮影部１は、図示されていない光学部材、レンズ駆動部材、赤外線検出器、信号事前処理回路などにより構成される。光学部材は赤外線光学レンズからなり、受け取った赤外線放射を赤外線検出器に集束するために用いられる。レンズ駆動部材は、制御部１０の制御信号に基づいてレンズを駆動することにより、集束またはズームの操作を実行し、また、手動調節の光学部材であってもよい。赤外線検出器が冷却または非冷却型の赤外線焦点面検出器である場合は、光学部材を通過する赤外線放射を電気信号に変換する。信号事前処理回路は、サンプリング回路、ＡＤ変換回路などを含み、赤外線検出器から読み出した信号について、規定の周期でサンプリング、自動利得制御などの信号処理を行い、ＡＤ変換回路を経てデジタルサーモグラフィデータ（サーモグラフィＡＤ値データ）に変換する。本実施例では、撮影部１は、撮影部の実例として、サーモグラフィデータの撮影及び取得に用いられる。
【００２３】
イメージ処理部２は、撮影部１が取得したサーモグラフィデータに対して規定の処理を行うために用いられ、修正、補間、擬似カラー、圧縮、解凍といったイメージ処理部２の処理により、表示用、記録用などに適したデータへの変換処理が行われる。イメージ処理部２は、ＤＳＰまたはその他のマイクロプロセッサ、またはプログラマブルＦＰＧＡなどを採用して実現することができ、或いは、制御部１０と一体または同一のマイクロプロセッサでもよい。そのうち、サーモグラフィデータが生成する赤外線サーモグラフィの処理、例えば擬似カラー処理は、具体的に実施形態の例を挙げると、サーモグラフィデータのＡＤ値の範囲またはＡＤ値の設定範囲に基づいて、対応する擬似カラーパネル範囲を確定し、サーモグラフィデータのＡＤ値の擬似カラープレート範囲内で対応する具体的な色値を赤外線サーモグラフィ中の対応画素位置のイメージデータとする。ここでは、グレースケールの赤外線画像を、擬似カラー画像中の１種の特例と見なすことができる。また、制御部１０の記録指示操作に基づき、イメージ処理部２が、サーモグラフィデータが規定の圧縮処理に基づいて圧縮後のサーモグラフィデータを取得するために用いられ、その後、該サーモグラフィデータは、メモリカード８などの記録媒体に記録される。
【００２４】
表示制御部３は、制御部１０の制御により、一時記憶部６に記憶された表示用のイメージデータを表示部４に表示する。例えば本実施形態では、ノーマルモードにおいては、撮影により得られたサーモグラフィデータが生成する赤外線サーモグラフィを連続表示し、情報モードでは、特別表示の被写体指示情報と赤外線サーモグラフィ（動態の赤外線サーモグラフィ及び静止した赤外線サーモグラフィを含む）を同時に表示し、再現モードでは、メモリカード８から読み出して拡大した赤外線サーモグラフィを表示し、また、各種の設定情報を表示することもできる。具体的に言うと、１つの実施形態では、表示制御部３が、ＶＲＡＭ、ＶＲＡＭ制御ユニット、信号生成ユニットなどを有し、制御部１０の制御に基づいて、信号生成ユニットがＶＲＡＭ制御ユニットを経て、一時記憶部６が読み出してＶＲＡＭに記憶したイメージデータを定期的に読み出し、ビデオ信号などの表示信号を生成して出力し、表示部４に表示する。本実施例では、表示部４が表示部４の実例である。これに限らず、表示部４は、サーモグラフィ装置１３に接続されるその他の表示装置でもよく、サーモグラフィ装置１３自体の電気構造中には表示装置がなくてもよい。もちろん、サーモグラフィ装置１３自体の電気構造中に表示装置がない場合でも、制御部１０は表示用のイメージデータの出力を制御することができ、イメージ出力インターフェース（例えば、ＡＶポート、ＲＪ４５ポートなどの各種の有線または無線のイメージ出力インターフェース）を通して、表示用のイメージデータを出力する（制御部１０、表示制御部３などを表示制御部の実例とする）。表示制御部が表示部を制御して表示させるものには、出力状況の表示も含まれる。表示制御部３は、イメージ処理部２または制御部１０と一体であってよい。
【００２５】
通信Ｉ／Ｆ５は、ＵＳＢ、１３９４、ネットワークなどの通信規定に基づき、サーモグラフィ装置１３を外部のコンピュータ、記憶装置、サーモグラフィ装置などの周辺機器と接続するためのインターフェースである。
【００２６】
ＲＡＭ、ＤＲＡＭなどの揮発性メモリである一時記憶部６は、撮影部１が出力するサーモグラフィデータを一時記憶するキャッシュメモリであると同時に、イメージ処理部２と制御部１０の動作メモリとしての役割も果たし、イメージ処理部２及び制御部１０が処理したデータを一時的に記憶する。これに限らず、制御部１０、イメージ処理部２などのプロセッサ内部に含まれるメモリやレジスタなども、一種の一時記憶部と解釈することができる。
【００２７】
メモリカードＩ／Ｆ７は、メモリカード８のインターフェースであり、メモリカードＩ／Ｆ７上には、サーモグラフィ装置１３本体のカードスロット内に着脱自在に取り付けられ、制御部１０の制御に基づいてサーモグラフィデータなどのデータを記録する書き換え可能な不揮発性メモリであるメモリカード８が接続されている。
【００２８】
フラッシュメモリ９には、制御のためのプログラムと、各部分の制御において使用する各種のデータが記憶されている。
【００２９】
情報記憶部は、複数の被写体情報を記憶するために用いられ、例えば、フラッシュメモリ９やメモリカード８などの不揮発性記録媒体や、一時記憶部６などの揮発性記録媒体のような、サーモグラフィ装置１３中の記憶媒体であってよい。また、通信Ｉ／Ｆ５を介して有線または無線で接続して通信を行う、その他の記憶装置のようなその他の装置や、その他の撮影装置、コンピュータなどの中の記憶媒体など、サーモグラフィ装置１３と有線または無線で接続されるその他の記憶媒体でもよい。好適には、被写体情報を、サーモグラフィ装置１３、またはそれと接続される不揮発性記録媒体中に予め記憶する。
【００３０】
被写体情報は被写体に関する情報であり、被写体の地点、類型、連番などの情報を表しており、この他にも、被写体に関係する帰属部署、分類等級（電圧等級、重要度など）、型番、製造業者、性能及び特性、過去の撮影または点検履歴、製造年月日、使用期限などの各種情報を列挙することもできる。被写体情報に含まれる情報、例えば被写体指示情報を生成するために用いられる情報は、ユーザが撮影しようとする被写体を確定するのに便宜な情報であるべきである。例えば、赤外線データと関連付けて記録した後、バッチ分析などのような後続処理に便宜な情報であるべきである。
【００３１】
好適な実施形態として、被写体情報中の各種情報は、分類情報の形式で構成されており、図５のイメージリスト５００１に示す、情報記憶部が被写体情報を記憶した１つの実施概略図では、各被写体情報が規定属性の若干の属性情報により構成されており、例えば、被写体情報５００の「変電所１設備エリア１設備ＩＡ相」は、変電所属性５０１に対応する属性情報「変電所１」、設備エリア属性５０２に対応する属性情報「設備エリア１」、設備種類属性５０３に対応する属性情報「設備Ｉ」、相別属性５０４に対応する属性情報「Ａ相」を有している。但し、これに限らず、情報分類の形式以外の形式により、被写体情報を記憶することもできる。
【００３２】
操作部１１は、ユーザが切換指示操作、記録指示操作、または設定情報の入力などの各種操作を行うために用いられ、制御部１０が、操作部１１の操作信号などに基づいて、相応のプログラムを実行する。例えば、操作部１１は、図２に示す記録キー０１（記録指示操作を行うために配置）、切換キー０２（被写体情報の切換指示操作を行うために配置）、焦点調整キー０３、確認キー０４、十字キー０５などにより構成されているが、この他に、記録キー０１、切換キー０２などは、規定指示の操作を行うために配置することもでき、該操作の信号に応答して、制御部１０が記録及び切換処理を連続して実行する。これに限らず、タッチパネル０６や音声認識部材などを用いて操作を実現してもよい。
【００３３】
以下では、赤外線記録方法（情報モード）について説明を行う。本実施例では、制御部１０は、ソート確定部、情報指定部、表示制御部、進度統計部の実例である。本実施例では、ユーザが図１１に示す変電所１内の設備エリア１（１１０１）、設備エリア２（１１０２）、設備エリア３（１１０３）の電力設備に対して赤外線検査を行うというシーンを例に挙げる。正式な撮影の前に、フラッシュメモリ９内に、図５中の例示的リストに示されている被写体情報のデータファイルを予め記憶する。図３〜図１１を参照して本実施例を説明する。
【００３４】
ＣＰＵ、ＭＰＵ、ＳＯＣ、プログラマブルＦＰＧＡなどにより実現される制御部１０は、サーモグラフィ装置１３の全体の動作を制御している。フラッシュメモリ９には、制御のためのプログラムと、各部分の制御において使用する各種のデータが記憶されている。前記制御プログラムは、制御部１０に複数のモード処理の制御を実行させる。電源を入れると、制御部１０が内部回路の初期化を行い、その後、撮影部１が撮影してサーモグラフィデータを得る撮影待機モードに入る。イメージ処理部２は、撮影部１が撮影して得たサーモグラフィデータに対して規定の処理を行い、一時記憶部６に記憶する。制御部１０は、表示制御部３に対する制御を実行して、表示部４上に動態イメージ形式で赤外線サーモグラフィを連続表示させる。この状態で、制御部１０がその制御を実施し、所定の条件に基づいて他のモードの処理に切り換わったかどうか、またはシャットダウン操作が行われたかどうかを継続的に監視し、もしあれば、対応する処理制御に入る。図４を参照すると、情報モードの制御ステップは以下の通りである。
【００３５】
ステップＳ１０１では、制御部１０がその制御を実施し、ユーザが操作部１１を通して情報モードを選択したかどうかを継続的に監視し、情報モードが選択されたことを検出した場合は、ステップＳ１０２に進む。
【００３６】
ステップＳ１０２では、被写体情報のソート要素を設定する。
【００３７】
制御部１０の制御により、表示部４に、図３に示す設定インターフェースを表示させる。グループソート設定操作を行うよう配置されたグループ設定項３０１、被写体情報ソート要素設定操作を行うソート要素項３０２、フィルタリング条件設定操作を行うフィルタリング条件項３０３、情報表示設定項３０４、及び設定を確定する確定項３００などの複数の設定項がある。その後は、ユーザがその中の１つの設定項を選択して設定操作を行ったかどうか、または確定項３００に対する確定を行ったかどうかを常にチェックする。その中の１つの設定項を選択して対応する設定インターフェースに進み、対応する設定を完了させて確定した後は、図３に示す設定インターフェースに戻り、制御部１０が、ユーザがその中の１つの設定項を選択して設定操作を行ったかどうか、または確定項３００に対して確定を行ったかどうかを引き続きチェックする。その後、確定項３００に対する確定を検出した場合は、ステップＳ１０３に進む。その中で、確定項３００に対する確定は行うが、その他の設定の操作は行わない場合は、その前のデフォルト設定に基づいてステップＳ１０３に進む。
【００３８】
本実施例では、ユーザがソート要素項３０２に対する選択を行う。続いて、該操作に応答して、制御部１０が表示部４に、図６に示すソート設定インターフェース６０００を表示させ、ユーザが図１１に示す変電所レイアウト図と対照させて、被写体情報のソート要素の設定を行う。本実施例では、表示部４、操作部１１、制御部１０がソート設定部の実例を構成している。
【００３９】
また、制御部１０が、フラッシュメモリ９内に記憶された被写体情報を一時記憶部６に伝送する。伝送されるのは、被写体情報のすべての属性情報でも、規定の一部の属性情報でもよい。この他に、電源が入っている時に、被写体情報を一時記憶部６に伝送することもできる。
【００４０】
ソート設定部は、ユーザが被写体情報のソート要素を設定するために用いられる。
【００４１】
前記ソート設定部は、被写体のソートに関するキーワードを確定するためのキーワード確定ユニットを有する。ソート要素確定ユニットは、キーワードのソート要素を確定するために用いられる。前記ソート設定部は、第１キーワードソート要素、または第１キーワードソート要素を補助キーワードソート要素と結合させることにより、被写体情報のソート要素を取得するために用いられる。前記ソート要素は、ソート順序やソートルールであってよく、ソートルールとは、例えばデジタルソートルール、字母ソートルール、中国語ピンインソートルール、中国語筆画ソートルール、及びユーザがキーワードに対して人為的ソートを行って得られるソートルールなどである。
【００４２】
そのうち、ソートに関与する被写体情報が、いずれも異なる第１キーワードを有する被写体情報である場合、前記ソート設定部が、第１キーワードソート要素を、被写体情報のソート要素として設定する。そのうち、ソートに関与する被写体情報中に、同じ第１キーワードの複数の被写体情報がある場合は、第１キーワードソート要素と補助キーワードソート要素の結合により、被写体情報のソート要素を決定する。第１ソート要素としてのキーワードを、第１キーワードと呼ぶ。補助キーワードソート要素は、少なくとも第２キーワードのソート要素を含み、被写体情報中の第２ソート要素としてのキーワードを、第２キーワードと呼ぶ。同じ第１キーワード及び第２キーワードの複数の被写体情報を有する場合、補助キーワードソート要素は少なくとも第２キーワード及び第３キーワードのソート要素を含み、被写体情報中の第３ソート要素としてのキーワードを、第３キーワードと呼ぶ。以後もこれにより類推する。
【００４３】
キーワード確定ユニットは、ソートに関するキーワードを確定するために用いられる。例えば、以下の１種または数種の実施形態により、ソートに関するキーワードを確定することができる。そのうち、第１キーワード及び補助キーワードを有する場合は、同一または異なる確定実施方式を採用することができる。
【００４４】
ある実施形態では、情報記憶部に記憶された被写体情報に基づき、被写体情報中の規定属性の属性情報のキーワードを照会して取得し、かつ照会して取得したキーワードを、ソートに関するキーワードとして確定する。
【００４５】
また、情報記憶部に記憶された被写体情報及びキーワード照会条件に基づいて、キーワード照会条件の被写体情報中の規定属性の属性情報に合致するキーワードを照会し、かつ照会して取得したキーワードを、ソートに関するキーワードとして確定することもできる。
【００４６】
また、予め与えられたキーワードをユーザに供して選択させた後、ユーザが選択したキーワードを、ソートに関するキーワードとして確定することもできる。
【００４７】
また、キーワード属性を確定することにより、該キーワード属性に合致するキーワードを、ソートに関するキーワードとして確定することもできる。例えば、被写体情報が時間情報に関係する場合（データファイルが被写体情報及び時間を含む日誌ファイルであるなど）、選択に供するキーワード属性（時間属性など）を提供し、ユーザが選択したキーワード属性（時間属性など）に基づき、該属性に合致するキーワード（時間）を、ソートに関するキーワードとして確定する。
【００４８】
また、デフォルトのキーワードをソートに関するキーワードとして確定することもできる。
【００４９】
また、ユーザが入力したキーワードをソートに関するキーワードとして確定することもできる。
【００５０】
ソート要素確定ユニットは、キーワードのソート要素を確定するために用いられる。例えば、以下の１種または数種の実施形態により、ソート要素を確定することができる。そのうち、第１キーワード及び補助キーワードを有する場合は、同一または異なる確定実施方式を採用することができる。
【００５１】
ある実施形態では、予め与えられたソート要素をユーザに選択させ、ユーザが選択したソート要素を、キーワードに対応するソート要素、或いは、デフォルトのソート要素、或いは、ユーザのソート操作（ユーザが入力するソート要素を含む）に基づいてキーワードを取得するソート要素として確定する。
【００５２】
具体的に言うと、本実施例では、情報記憶部に記憶された被写体情報に基づき、被写体情報中の規定属性の属性情報の第１キーワードを照会して取得し、ユーザの操作に基づいて、第１キーワードのソート要素を確定する。制御部１０は、表示部４に、図６に示すソート設定インターフェース６０００を表示させるが、その中で、設備エリア設定項６０１、設備種類設定項６０２、相別設定項６０３は、キーワード照会及びソート要素設定を表すメニュー項として配置されている。ソート設定インターフェース６００１に示すように、設備エリア設定項６０１が選択された（デフォルトでもよい）場合、制御部１０が被写体情報の設備エリア属性の属性情報のキーワードを照会し、設備エリアキーワード（第１キーワード）リスト６０５を取得する。その後、ユーザが設定した第１キーワード（設備エリア１、設備エリア２、設備エリア３）の間のソート順序に基づいて、第１キーワードのソート要素を確定する。ソートリスト６０４中のソート順序は、入力された数字でも、設備エリアキーワードリスト６０５から選択されたキーワードでもよく、十字キーまたはタッチパネルによりドラッグ操作を行って、ソート順序を設定する。
【００５３】
本実施例では、設備エリアの属性情報のキーワードを第１キーワードとしており、ソートに関与する被写体情報中に、同じ第１キーワードの複数の被写体情報がある場合は、第１キーワードソート要素と補助キーワードソート要素を結合させて、被写体情報のソート要素を決定しなければならない。
【００５４】
キーワード確定ユニットは、情報記憶部に記憶された被写体情報及び確定されたキーワード照会条件に基づいて、キーワード照会条件の被写体情報中の規定属性の属性情報に合致する補助キーワードを照会する。そのうち、キーワード照会条件は、その前に確定された第１キーワードの１つであり、第２キーワード以上の補助キーワードを有する場合、キーワード照会条件は、その前に確定された第１キーワードの１つと、各級の補助キーワードの級ごとのキーワードの１つである。但し、これに限らず、キーワード照会条件に、入力の方式を採用することもできる。
【００５５】
さらなる設定としては、ユーザが設備エリア１を選択した場合、制御部１０が設備エリア１（第１キーワードの１つ、ソート設定インターフェース６００２中の設備エリアキーワードリスト６０５の下線で示したキーワード）を、キーワード照会条件として確定する。
【００５６】
制御部１０は、「設備エリア１」のキーワード照会条件に合致する被写体情報の設備種類属性情報を照会することにより、設備種類属性情報キーワード（第２キーワード）を取得し、設備種類キーワードリスト６０７を表示し、ユーザがその中の設備種類のソートについて設定を行い、ソートリスト６０６中のソート順序を取得する。その後、制御部１０が、ユーザが選択した「設備Ｉ」をキーワード照会条件の１つとし（ソート設定インターフェース６００３中の設備種類キーワードリスト６０７中の下線で示したキーワード）、制御部１０が、「設備エリア１」及び「設備Ｉ」のキーワード照会条件に合致する被写体情報の設備相別属性情報を照会することにより、設備相別キーワードリスト６０９を取得し、その中の相別のソートについて設定を行って、ソートリスト６０８中のソート順序を取得する。
【００５７】
その後、同じような方法で設備エリア１、設備エリア２、設備エリア３の設備種類及び設備相別のソートの設定を行う。ソート要素の設定が完了した場合は、操作部１１の確定キー０４を押してソート設定を確定し、図３に示す設定インターフェースに戻って、もう一度操作部１１の確定キー０４を押し、確定項３００の確定を行う。図７のイメージリストに示す被写体情報に対応するソート要素を取得し、設定した被写体情報のソート要素を、後に使用しやすいよう、１つのコンフィグレーションファイルとするなどして、一時記憶部６に記録し、またはフラッシュメモリ９などに記録する。また、例えばソート順序が付加された被写体情報のデータファイルを生成して、ステップＳ１０３に進むこともできる。
【００５８】
本実施例では、情報記憶部に記憶された被写体情報に基づいて、ソートの第１キーワードを照会するという点に、注意が必要である。しかし、その前に設定された（またはデフォルトの）、被写体情報を確定するためのフィルタリング条件は、該フィルタリング条件を上記キーワード（第１キーワード及び補助キーワードを含む）のキーワード照会条件の１つとして配置することもできる。
【００５９】
規定属性の属性情報のキーワードを照会することにより、ソート要素の設定を行うことのメリットは、表示部に大量の被写体情報及び対応する設定のソート順序を表示することによりもたらされる順序調整の不便さを回避し、キーワード照会条件により、照会して得られるソートキーワードをさらに簡素化し、余分な情報の表示によりもたらされるソート設定の不便さを回避することにある。
【００６０】
ステップＳ１０３では、被写体情報のソート順序を確定する。
【００６１】
ソート確定部は、情報記憶部に記憶された被写体情報に対して、ソート順序を確定するために用いられる。ソート要素がソートルールである場合、ソート確定部は、情報記憶部に記憶された被写体情報を、例えばキーワードを抽出し、前記キーワードのソートルールに基づいて、前記被写体情報のソートを行うことにより、被写体情報のソートルールを確定するために用いられる。複数のキーワードがある場合は、第１キーワード及びルールに基づいてソートを行い、その後、第２キーワードに基づいて、同じ第１キーワードを有する被写体情報のソートを行う。以降も同様に類推する。
【００６２】
本例では、ステップＳ１０２で設定するソート要素が、情報記憶部に記憶された被写体情報の各属性情報に基づくソート順序であるため、各属性情報のソート順序に基づいて被写体情報のソートを行い、各被写体情報のソート順序を確定することができる。ステップＳ１０２で、ソート順序が付加された被写体情報のデータファイルが直接生成された場合は、被写体情報に対するソートを行う必要はない。
【００６３】
また、ソート要素を設定するステップ（Ｓ１０２）は必ずしも必須ではなく、予め与えられたデフォルトのソート要素に基づいてソート順序を確定することもできる。その他に、ある実施形態では、情報記憶部（フラッシュメモリ９など）中に、ソート順序情報が付加された被写体情報を予め記憶し、ソート確定部が、被写体情報に付加されたソート順序情報に基づいて、後続の切換時に遵守する被写体情報のソート順序を確定する。付加されるソート順序情報は、例えば数字、字母、コードといった、識別可能なソート情報であり、
被写体情報の属性情報の形式で付加してもよいし、被写体情報に対応する索引情報の形式で付加してもよいし、また、被写体情報をデータファイル中または記憶媒体中の規定アドレスに基づいて保存しても、ソート順序情報が付加された形式と見なすことができる。
【００６４】
デフォルトのソートルール（被写体情報に基づく時間属性など）に基づいて、被写体情報のソートを行い、被写体情報のソート順序を確定することもできる。また、表示部に規定数量の被写体情報が生成する被写体指示情報を表示し、十字キーまたはタッチパネルでのドラッグ操作により、被写体指示情報に対するソートを行う方式で、ソート順序を確定することもできる。
【００６５】
ステップＳ１０４では、特別被写体情報としての被写体情報を指定する。情報指定部（制御部１０）は、情報記憶部に記憶された複数の被写体情報に基づいて、特別表示する被写体指示情報を取得するための特別被写体情報としての被写体情報を指定するために用いられる。好適な実施形態では、ソート順序に基づいて、ソート順序中の首位の被写体情報「変電所１設備エリア１設備ＩＣ相」を、特別被写体情報に指定する。
【００６６】
これに限らず、その他の実施形態では、制御部が、特別被写体情報を選択する操作指示があるかどうかを監視する。ここでは、操作指示が確認された状況において、選択された被写体指示情報に対応する被写体情報を、特別被写体情報に指定する。表示制御部は、情報記憶部に記憶された複数の被写体情報に基づき、表示部に規定数量の被写体指示情報を表示させるよう制御するために用いられる。情報指定部は、ユーザの選択に基づいて、その中の特別被写体情報としての被写体情報を指定するために用いられる。例えば、図８の表示インターフェース８０１に示す被写体指示情報の中で、ユーザは、操作部１１により、その中の１つの被写体指示情報を選択することができ、制御部１０が、該被写体指示情報に対応する被写体情報を、特別被写体情報として指定する。また、ユーザは、ページめくりやスクロールバー移動などの方式で、新たな被写体指示情報の表示インターフェースに進み、被写体指示情報を選択することもできる。
【００６７】
ステップＳ１０５では、撮影部１が撮影して得たサーモグラフィデータを一時記憶部６に伝送する。イメージ処理部５は、撮影部１が撮影したサーモグラフィデータについて擬似カラー処理などの規定の処理を行い、赤外線サーモグラフィのイメージデータを取得して、一時記憶部６に記憶する。
【００６８】
ステップＳ１０６では、制御部１０の制御により、表示部４に、前記サーモグラフィデータが生成する赤外線サーモグラフィを表示させると同時に、前記情報指定部が指定した特別被写体情報が取得した被写体指示情報を特別表示させるよう制御するために用いられる。ここでは、被写体指示情報と赤外線サーモグラフィが表示インターフェース中に共同で表示されており、赤外線サーモグラフィ中に重ねたり、重ねなかったりすることができる。
【００６９】
特別表示では、図９の９０１に示すように、指定された特別被写体情報が取得した被写体指示情報のみを表示する。特別表示で、特別被写体情報に限らない規定数量の被写体情報が得た被写体指示情報を表示する場合は、その他の被写体指示情報と区別される表示方式によって、指定した特別被写体情報から得た被写体指示情報を特別表示する。好適な実施形態では、表示制御部が、情報記憶部に記憶された（タスク確定がある場合は確定された）被写体情報及び前記ソート確定部が確定した被写体情報のソート順序に基づき、表示部に、前記サーモグラフィデータが生成する赤外線サーモグラフィを表示させると同時に、ソート順序に基づいて、規定数量の被写体情報が取得した被写体指示情報をソートして表示させるよう制御し、そのうち、他の被写体指示情報と区別される表示方式で、指定された特別被写体情報が取得した被写体指示情報を特別表示する。
【００７０】
図８の表示インターフェース８０１に示すように、制御部１０の制御により、規定数量の被写体情報が得た被写体指示情報をソート表示し、「変電所１設備エリア１設備ＩＣ相」の下線部を他の被写体指示情報と区別し、また、ユーザが識別しやすい表示位置や色、背景、大きさ、フォント、文字説明などの違いを用いて、他の被写体指示情報と区別される被写体指示情報の特別表示方式とすることもできる。
【００７１】
好適な実施形態では、表示制御部が、被写体情報中で被写体指示情報を生成するために用いられる規定情報を階層表示しており、つまり、規定の階層及び各階層に対応する属性情報に基づいて表示しているのである。ツリー状に表示された階層表示は、図９の９０２に示す被写体情報欄のように、制御部１０が被写体指示情報を変電所、設備エリア、設備種類及び層別の規定属性の属性情報に基づいて規定の３層に分け、規定位置に基づいて表示している。さらに、ユーザが観察しやすいように、特別表示する被写体指示情報を、赤外線サーモグラフィに重ねている。
【００７２】
具体的に言うと、表示制御を実施する方式では、イメージ処理部２を制御して、撮影で得られたサーモグラフィデータが生成する赤外線サーモグラフィのイメージデータと、指定された特別被写体情報が得た被写体指示情報のイメージデータを合成する。合成されたイメージデータを、一時記憶部６に保存する。その後、表示制御部３を制御して、該合成されたイメージデータを表示部４に表示する。図９の９０１に示すように、該合成は、被写体指示情報を赤外線サーモグラフィに重ねたものである。また、その他の規定の指示情報がある場合は、イメージ処理部２を制御して、撮影して得たサーモグラフィデータが生成する赤外線サーモグラフィのイメージデータと、指定された特別被写体情報が取得した特別表示の被写体指示情報のイメージデータ（特別表示の標識がある場合は、該標識のイメージデータを含む。図８の被写体指示情報の下線部）と、他の規定の指示情報のイメージデータを合成する。さらに、図８に示すように、表示制御部３を制御して、該合成されたイメージデータを表示部４に表示する。該合成は、被写体指示情報及びその他の指示情報と赤外線サーモグラフィとを組み合わせて、異なる区域に分けて表示し、互いに重畳しないか一部のみ重畳したものである。その他の指示情報とは、規定数量の被写体情報、進度情報、ソート順序などであり、さらに、表示部４で表示しなければならない日時、電池容量などの指示情報もある。
【００７３】
そのうち、被写体情報に基づいて取得する被写体指示情報は、被写体情報の全部または規定の一部の情報により取得することができ、被写体情報の中の、被写体指示情報の取得に用いられる情報の構成を予め規定することができる。被写体情報に対応するソート順序連番は、表示しても、表示しなくてもよい。
【００７４】
そのうち、制御部１０は、進度統計部として、情報記憶部が記憶した被写体情報（タスク確定がある場合は確定された被写体情報、またはソート配列に基づく連番数など）の数と、その時点で指定する特別被写体情報に基づいて、撮影進度情報を統計する。図８の表示インターフェース８０１に表示している進度情報８０３及び表示インターフェース８０２には、進度情報８０４が表示されている。図８では、特別に指定された被写体情報のソート順序の連番も表示されており、該ソート順序の連番は、表示された被写体情報総数「１５」のみとともに進度情報を構成することもできるという点に注意すべきである。
【００７５】
ステップＳ１０７では、制御部１０が記録指示操作の有無を判断し、なければ、ステップＳ１０８に進む。ユーザが、表示インターフェース８０１における被写体の身分を代表する情報を含む被写体指示情報「変電所１設備エリア１設備ＩＣ相」に基づいて、対応する被写体に対する認知または設備表示ラベルのチェックと確認を通じて、対応する被写体に対して撮影を行い、操作部１１の、記録を表す記録キー０１などのキーを押し、記録指示操作を送信すると、制御部１０が記録指示操作を検出して、ステップＳ１０９に進む。また、制御部１０は、その他の規定の記録条件に基づき、例えば、規定の時間間隔に合致すると判断し、またはサーモグラフィ中の温度値が規定の閾値を超え、或いはサーモグラフィ装置１３に接続されたその他のセンサのトリガ信号を検出するなどの規定の記録条件に基づき、操作部１１からの記録指示操作がなくても、自動的にステップＳ１０８に進むことができる。規定記録条件には、操作部１１の記録指示操作が行われていても、規定の時間間隔に適合し、またはサーモグラフィ中の温度値が規定の閾値を超えるといったその他の規定条件を同時に満たす場合だけ、記録処理を行うことが含まれている。もちろん、規定記録条件は、予め配置されている各種の条件であってもよい。
【００７６】
ステップＳ１０８では、処理を記録する。
【００７７】
記録部としての制御部１０は、記録指示操作に応答し、または規定の記録条件に基づいて、規定の赤外線データと指定された特別被写体情報に関する情報の関連付け記録を行う。
【００７８】
その後、ステップＳ１０９に進む。
【００７９】
そのうち、前記赤外線データは、撮影部が撮影して取得したサーモグラフィデータ、及び／または撮影部が撮影して取得したサーモグラフィデータに対して規定の処理を行って得たデータである。
【００８０】
規定の赤外線データとは、例えば、記録指示操作に応答し、または規定の記録条件に合致する時刻（またはその後の規定時刻）を判断して、赤外線検出器が信号を読み取って取得したサーモグラフィデータ（フレーム）や、例えば、記録指示操作に応答し、または規定の記録条件に合致する時刻（またはその後の規定時刻）を判断して一時記憶部６中に一時記憶された複数フレームのサーモグラフィデータ中の規定のサーモグラフィデータ（フレーム）や、例えば、上記の状況のサーモグラフィデータに規定の処理を行って取得したデータ（規定の処理とは、修正、補間、擬似カラー、温度数値への変換、画素の引下げ、圧縮などの処理の１種または数種である）や、例えば、規定数量を記録した複数フレームのサーモグラフィデータや、例えば、一時記憶部６に記憶した複数フレームのサーモグラフィデータに対して積分演算を行って取得した該処理後の１フレームのサーモグラフィデータなど、規定数量の複数フレームのサーモグラフィデータを規定処理して取得したサーモグラフィデータ（フレーム）や、例えば、サーモグラフィデータを同時に記録して取得した各画素の温度値及び赤外線サーモグラフィのイメージデータなど、これらの状況で取得する赤外線データの１種または数種、などである。
【００８１】
具体的に言うと、ある実施形態では、操作部１１の記録指示操作に応答し、制御部１０の制御により、赤外線検出器が信号を読み取り、サーモグラフィデータを取得して、イメージ処理部２に該サーモグラフィデータに対して規定のサーモグラフィデータ圧縮処理を実施させ、または該サーモグラフィデータに対して、修正、補間などの規定の処理を行ってから圧縮処理を行わせ、一時記憶部６中の指定された特別被写体情報に関する情報と、圧縮後のサーモグラフィデータを関連付けて、サーモグラフィファイルを生成してメモリカード８に記録し、該処理を終了する。また、情報を付加した後に圧縮を行うこともできる。
【００８２】
指定された特別被写体情報に関する情報は、例えば、特別被写体情報としての被写体情報のすべての情報でもよいし、その中の一部の情報でもよい。例えば好ましい方式として、「変電所１設備エリア１設備ＩＣ相」のような被写体の身分を代表する情報を記録することができる。ただしこれに限らず、例えばまた「設備エリア１設備ＩＣ相」を記録することもでき、また該被写体情報に付加されたソート順序情報を記録することもできる。また、該被写体情報中でさらに他の通し番号、型番などの情報など、該被写体情報のうちの指示情報の生成に用いられないその他の情報でもよく、表示はしないものの、他の通し番号や型番の情報を保存することができる。
【００８３】
図１０中のサーモグラフィファイル構造の１つの実施概略図のように、関連付け記録の実施方法では、指定された特別被写体情報に関する情報を、規定書式の赤外線データの情報の追加とする。そのうち、赤外線データ１００１は、記録指示操作に応答し、または規定の記録条件の時刻に基づいて、赤外線検出器から読み取って取得したサーモグラフィデータを圧縮したサーモグラフィデータである。特別被写体情報に関する情報１００２は、「変電所１設備エリア１設備ＩＣ相」を表す被写体情報であり、その他の追加情報１００３は、撮影の時間や、環境温度や距離といった撮影に関するパラメータである。
【００８４】
また、関連付け記録処理は、特別被写体情報に関する情報を、サーモグラフィファイルに関連する情報ファイルまたは索引ファイルなどに記録することもでき、制御部１０が、該情報ファイルまたは索引ファイルを生成することができる。また、特別被写体情報に基づいてサーモグラフィファイル名を生成することができ、前記記録部が、サーモグラフィファイルのファイル名を生成するためのファイル名生成ユニットを有しており、前記ファイル名は、少なくとも指定された特別被写体情報に関する情報、例えば生成されたサーモグラフィファイル名や、変電所１設備エリア１設備ＩＣ相．ｊｐｇなどを含む。ただし、分類されずに記憶される属性情報は後続のバッチ処理を不便にし、コンピュータは一対に混合した文字を識別できない。好適には、被写体情報中の分類情報に基づいて、情報を分類編成して分類情報を含むファイル名を生成する。例えば、規定の属性情報に基づいて、変電所１−設備エリア１−設備Ｉ−Ｃ相．ｊｐｇを生成する。ここで「−」等の分離方式を採用して属性情報の分類を実現できる。さらに、時間情報「２０１２０２２３」と結合させて、変電所１−設備エリア１−設備Ｉ−Ｃ相−２０１２０２２３．ｊｐｇといったファイル名を生成する。関連付け記録は、実質的には、後続のバッチ処理分析に必要な情報を記録することであり、ファイル名にはユーザの調査に役立つ被写体情報が含まれており、被写体情報中の分類情報に基づいて、識別可能な、特定の分類情報を含むファイル名を生成し、後続のバッチ処理分析で、ファイル名の中の分類情報を読み取って識別しやすくしている。
【００８５】
明らかに、好適には、ファイル名の分類情報は、被写体の身分を代表する情報を含むべきであり、撮影される被写体と対応するべきである。
【００８６】
ステップＳ１０９では、制御部が切換指示操作の有無を判断し、なければ、ステップＳ１０５に戻り、被写体指示情報と動態の赤外線サーモグラフィ（連続合成）の共同表示を実現し、切換指示操作があれば、ステップＳ１１０に進む。
【００８７】
ユーザは、特別表示する被写体が提示する情報「変電所１設備エリア１設備ＩＣ相」を、撮影時点の被写体の提示情報とし、対応する被写体に対して照合及び撮影を行う。
【００８８】
ユーザが、図８中の表示インターフェース８０１の被写体指示情報「変電所１設備エリア１設備ＩＣ相」に基づいて、対応する被写体の撮影を完了し、その後、操作部１１の切換キー０２などの切換を表すキーを押すと、ワンキー操作による切換指示操作を実現することができ、ここでは、ユーザは表示インターフェース８０１に示す被写体情報を見ながら選択や検索を行う必要がないので、操作が簡単である。
【００８９】
また、制御部１０が、規定の切換条件、例えば、規定の時間間隔に合致すると判断し、またはサーモグラフィ中の温度値が規定の閾値を超え、或いはサーモグラフィ装置１３に接続された装置、例えば他のセンサなどのトリガ信号を受け取るといった規定切換条件に基づいて、操作部１１の切換指示操作が行われていなくても、自動的にステップＳ１１０に進むことができる。規定切換条件には、操作部１１の切換指示操作が行われていても、規定の時間間隔に適合し、またはサーモグラフィ中の温度値が規定の閾値を超えるといったその他の規定条件を同時に満たす場合だけ、切換指定の処理を行うことが含まれている。
【００９０】
もちろん、規定の切換条件は、予め配置されている各種の条件であってもよい。
【００９１】
ステップＳ１１０では、制御部１０が、タスクが完了したかどうかを判断する。
【００９２】
制御部１０が、ソート順序配列中の最後の１つの被写体情報に対する指定が完了したかどうかを判断する。完了していない場合は、ステップＳ１０４に戻り、ソート順序に基づいて、指定された特別被写体情報に対する切換を行う。完了した場合は、その回の情報モードが終了し、ディスプレイ上に「タスク完了」などの文字を表示することができる。その後、サーモグラフィ装置の待機状態に戻り、ユーザが他のモードの操作に入るのを待つ。
【００９３】
また、規定のソート順序の起点、例えばソート順序のスタート点に切り換えて、循環撮影を行うこともできる。
【００９４】
具体的に言うと、ある実施形態では、情報指定部（制御部１０）が、切換前に指定された特別被写体情報に対応するソート順序の連番に、相応に１を加えた後、ソート順序配列中の最後の１つが完了したかどうかを判断し、完了していない場合は、ソート順序の連番に１を加えて得られるソート順序の連番に対応する被写体情報を検索して、特別被写体データに指定する。完了していれば、退出する。また、ソート順序配列中の最後の１つの被写体情報の指定が完了したかどうかは必ず判断しなければならないわけではなく、判断しなくてもよい。切換指示操作を受け取る度に、ソート順序の連番に１を加えて得られるソート順序の連番に対応する被写体情報を検索して特別被写体情報に指定し、検出されない場合は、規定の定時を超えるまで、または制御部１０が退出指示を受け取って情報モードを終了するまで、引き続き１を加えて検索する。
【００９５】
本例では、ステップＳ１０４に戻ると、前記情報指示部が、切換指示操作に応答し、または規定の切換条件に基づいて、ソート確定部が確定した被写体情報のソート順序に基づき、指定された特別被写体情報に対する切換、即ち指定された特別被写体情報としての被写体情報に対する切換を行う。
【００９６】
そのうち、指定された特別被写体情報に対して切換を行う場合、好適な実施形態では、情報指定部が、指定された特別被写体情報としての単一の被写体情報を、切換前に指定された特別被写体情報としての被写体情報の単一の被写体情報から、切換前に指定された特別被写体情報としての被写体情報の、ソート順序配列（タスク確定ステップがある場合は、タスク確定部が確定した被写体情報のソート順序配列）における次の被写体情報に切り換える。例えば、本例では、指定された特別被写体情報としての単一の被写体情報を、切換前に指定された特別被写体情報としての単一の被写体情報「変電所１設備エリア１設備ＩＣ相」から、切換前に指定された特別被写体情報としての被写体情報「変電所１設備エリア１設備ＩＣ相」の、ソート順序配列における次の被写体情報「変電所１設備エリア１設備ＩＢ相」に切り換える。
【００９７】
前記表示制御部は、表示部に、前記サーモグラフィデータが生成する赤外線サーモグラフィを表示させると同時に、特別表示の方式により、前記情報指定部が切換指定した特別被写体情報で得た被写体指示情報を表示させるよう制御する。表示インターフェース８０２に示しているのは、特別表示の「変電所１設備エリア１設備ＩＢ相」に切り換えた被写体指示情報である。表示インターフェース８０１に示している進度情報８０３が、表示インターフェース８０２に示す進度情報８０４に変化している。その後、ユーザは、特別表示の「変電所１設備エリア１設備ＩＢ相」の被写体指示情報に基づいて、相応の被写体に対する撮影を行うことができる。その後、記録指示操作を再度行う場合は、情報指定部が、指定された特別被写体情報に対して切換を行うので、前記記録部が、記録指示に応答して、規定の赤外線データと切換後の指定の特別被写体情報に関する情報「変電所１設備エリア１設備ＩＢ相」の関連付け記録を行うために用いられることは明らかである。こうして、ユーザは図１１に示す撮影経路Ｌ１１を容易に実現して撮影を行うことができるので、被写体の遺漏が生じにくい。
【００９８】
また、情報指定部は、指定された特別被写体情報としての単一の被写体情報を、切換前に指定された特別被写体情報としての被写体情報から、切換前に指定された特別被写体情報としての被写体情報の、ソート順序における１つ前の被写体情報に切り換える。ソート順に基づいて行う切換は、ソート順序配列の正順でも逆順でもよく、ソート順序の正順か逆順かを規定して切換を行うことができる。
【００９９】
また、情報指定部が特別被写体情報として指定する被写体情報が、ソートが隣り合う２つ以上の被写体情報である場合、情報指定部が、指定された特別被写体情報としての規定数量のソートが隣り合う被写体情報を、切換前に指定された特別被写体情報としての規定数量のソートが隣り合う被写体情報から、切換前に指定された特別被写体情報としての被写体情報の、ソート順序における次の被写体情報に切り換えて、初めの規定数量のソートが隣り合う被写体情報とする。
【０１００】
例えば、「変電所１設備エリア１設備ＩＣ」と、「変電所１設備エリア１設備ＩＢ」と、「変電所１設備エリア１設備ＩＡ相」を同時に指定する場合、切換指示操作に応答して、切換指定する「変電所１設備エリア１設備ＩＩＡ」、「変電所１設備エリア１設備ＩＩＢ」、「変電所１設備エリア１設備ＩＩＣ相」を、特別被写体情報とする。
【０１０１】
また、情報指定部が特別被写体情報として指定する被写体情報が、ソートが隣り合う２つ以上の被写体情報である場合は、逆順で切り換える場合もある。
【０１０２】
本実施例では、数量の比較的少ない被写体情報により例示的説明を行っているが、実際の赤外線検査作業では、被写体数が非常に多いので、本発明の実施形態を採用することによる効果が著しいという点に注意しなければならない。
【０１０３】
同じ理由で、複雑な設備や複数の角度からの撮影については、単独撮影が必要な被写体（部品や角度を含む）に対して関連する被写体情報を予め保存し、後でソートを行うことができるので、撮影部位の漏れを回避することができる。
【０１０４】
本実施例であっても、情報モードがソート要素設定ステップ（ステップＳ１０２）を含むことに注意しなければならないが、これに限らず、ステップＳ１０２は必ずしも必須ではなく、デフォルトのソート要素に基づいて、被写体情報のソート順序を確定することもできる。
【０１０５】
上で述べたように、予め記憶された被写体情報に基づき、ソート要素によって被写体情報のソート順序を確定し、続いて、特別被写体情報を指定し、かつ赤外線サーモグラフィと特別表示の被写体指示情報を表示部に同時に表示する。本実施形態において、被写体情報には、当該被写体の場所（例えば変電所、設備エリア）、類型（例えば電力設備の類型には、変圧器、スイッチ等がある）、通し番号（例えば相別等）などを代表する情報を含み、表示される被写体指示情報には被写体の身分を代表する情報が含まれ、ユーザは撮影された被写体を便利に確認できる。ユーザが、特別表示の被写体指示情報を、その時点で撮影する被写体の指示情報と見なし、被写体を認知し、または設備表示ラベルをチェックし、確定してから対応する被写体に対して撮影を行うため、誤撮影の状況が減少する。その後、確定されたソート順序に基づいて特別被写体情報を切換指定し、ソート順序により被写体指示情報を特別表示させるので、ユーザは図１１に示すような撮影経路Ｌ１１の撮影を簡単に実現でき、経路の誤りや乱雑さが大幅に減少し、漏れのないことが確保され、
それにより撮影の効率が上がり、作業強度が低下している。その中で、撮影進度情報の表示を統計することにより、ユーザは撮影の進行を合理的に処理することができる。いずれにしても、実施例１は好適な実施形態であって、本発明の実施形態を実施するいずれかの製品によっては、上記に述べたすべての利点を同時に達成する必要はないのは当然である。
【０１０６】
［実施例２］
本実施例は、図１と同じ構造を有するサーモグラフィ装置１３中のフラッシュメモリ９に、フィルタリング条件を設定するための制御プログラムと、フィルタリング条件に基づいて被写体情報を確定する制御プログラムと、規定指示操作に応答し、または規定条件に基づいて、特別被写体情報の記録及び切換を連続して実行する制御プログラムを記憶している。ユーザが図１１に示す変電所１の設備エリア１（１１０１）、設備エリア２（１１０２）、設備エリア３（１１０３）における電力設備に対して赤外線検査を行うシーンを例に挙げており、実施例１とは異なり、ユーザは、該撮影タスクをフィルタリング条件を通して複数のサブタスクに分解し、その後、サブタスク中の被写体情報に対してソートを行ってから、撮影を行う。ユーザがまず設備エリア１中の被写体の撮影を行うと仮定し、図１２〜図１７を参照して本実施例を説明する。
【０１０７】
ステップＳ２０１では、制御部１０が、ユーザが操作部１１を通して情報モードを選択したかどうかを継続的に監視し、選択された場合は、ステップＳ２０２に進む。
【０１０８】
ステップＳ２０２では、フィルタリング条件を設定する。
【０１０９】
制御部１０は、表示部が図３に示す設定インターフェースを表示するよう制御する。ユーザがその中からフィルタリング条件設定項３０３を選択した後、表示部４が図１３に示すフィルタリング条件設定インターフェースを表示し、ユーザがフィルタリング条件の設定及び確定を行う。その後、確定項３００に対する確定を検出した場合は、ステップＳ２０３に進む。
【０１１０】
タスク設定部は、ユーザが（撮影タスクに含まれる被写体情報の）フィルタリング条件を設定するために用いられ、前記フィルタリング条件は、フィルタリング条件に関するキーワード及びフィルタリング論理関係により構成される。
【０１１１】
前記タスク設定部は、キーワード確定ユニットと、論理確定ユニットと、フィルタリング条件生成ユニットとを有し、そのうち、キーワード確定ユニットは、フィルタリング条件に関するキーワードを確定するために用いられる。論理確定ユニットは、フィルタリング条件に関するキーワードのフィルタリング論理関係を確定するために用いられる。フィルタリング論理関係は、単一のキーワードのフィルタリング［はい・いいえ］関係であってもよいし、また複数のキーワードの相互間のＡＮＤ、ＯＲ、ＮＯＴ論理関係とフィルタリング［はい・いいえ］関係の結合であってもよい。フィルタリング条件生成ユニットは、フィルタリング条件に関するキーワード及び規定のフィルタリング論理関係に基づいてフィルタリング条件を生成するために用いられる。
【０１１２】
フィルタリング条件に関するキーワードは、１つのキーワードでもよいし、複数のキーワードでもよいが、そのうち、複数のキーワードには、数字範囲、字母範囲、ソート順序範囲、時間範囲などの、キーワード範囲を表す状況が含まれている。また、被写体情報の中に、被写体に関係する帰属部署、分類等級（電圧等級、重要度など）、型番、製造業者、性能及び特性、過去の撮影または点検履歴、製造年月日、使用期限などの各種情報がある場合は、すべてその中からキーワードを確定し、フィルタリング条件を設定することができる。但し、これらの情報は、特別表示の被写体指示情報の生成に用いられるとは限らない。
【０１１３】
キーワード確定ユニットは、フィルタリング条件に関するキーワードを確定するために用いられる。例えば、以下の１種または数種の実施形態により、フィルタリング条件に関するキーワードを確定することができる。
【０１１４】
例えば、選択に供するキーワードを予め保存し、ユーザの選択に基づいて、フィルタリング条件に関するキーワードを確定する。
【０１１５】
例えば、フィルタリング条件に関するキーワードの１つまたは全部がデフォルトである。
【０１１６】
例えば、ユーザがキーワードを入力し、ユーザが入力したキーワードを、フィルタリング条件に関するキーワードとして確定する。
【０１１７】
例えば、選択に供するキーワード属性の選択項を提供し、ユーザが選択したキーワード属性に基づいて、該キーワード属性に合致するキーワードを、フィルタリング条件に関するキーワードとして確定する。このような状況は、一部の被写体情報の中の、特定の属性を有する属性情報であり、その他の部分の被写体情報には、該特定属性の属性情報は含まれていないので、被写体情報を容易にフィルタリングすることができる。
【０１１８】
ある好適な形態では、情報記憶部に記憶された被写体情報に基づき、被写体情報中の規定属性の属性情報のキーワードを照会して取得し、ユーザの選択に基づいて、フィルタリング条件に関するキーワードを確定する。
【０１１９】
具体的には、制御部１０の制御により、表示部４に図１３に示すフィルタリング条件設定インターフェースを表示させており、変電所１３０３、設備エリア１３０４、設備種類１３０５などが、規定属性の属性情報を表すキーワード検索のキーワードメニューとして配置されている。情報記憶部に、図１５に示すような被写体情報を記憶する場合、制御部１０が、ユーザがその回に撮影した「設備エリア１」に基づいて選択した設備エリア１３０４に基づいて、情報記憶部中に記憶された被写体情報を照会し、規定属性（設備エリア）の属性情報のキーワード「設備エリア１、設備エリア２、設備エリア３、…」を取得してリスト１３０６に表示させ、ユーザがその中から「設備エリア１」を選択すると、キーワード確定ユニットが、「設備エリア１」をフィルタリング条件に関するキーワードとして確定する。ここでは、表示部４、操作部１１、制御部１０が、タスク設定部の実例を構成している。但し、このような実施形態では、被写体情報の属性情報のキーワードの種類が比較的多い場合、操作が煩瑣になる。
【０１２０】
別の好適な形態では、キーワード確定ユニットがキーワード照会条件を確定し、かつ情報記憶部に記憶された被写体情報に基づき、キーワード照会条件の被写体情報中の規定属性の属性情報に合致するキーワードを照会して取得し、ユーザの選択に基づいて、フィルタリング条件に関するキーワードを確定する。そのうち、キーワード照会条件は、その前に確定した、フィルタリング条件に関する１つまたは複数のキーワードである。
【０１２１】
情報記憶部に、図１５に示すような被写体情報を記憶する場合は、その他のいくつかの変電所の被写体情報を含む。制御部１０が、表示部４に、図１４に示すような、設定操作におけるフィルタリング条件設定インターフェースを表示させ、ユーザが操作部１１を通して変電所１４０３を選択した場合、制御部１０が、情報記憶部に記憶された被写体情報に基づいて、変電所属性の属性情報のキーワードを照会し、リスト１４０６に表示させる。
【０１２２】
ユーザがその中から「変電所１」を選択すると、制御部１０が、「変電所１」をフィルタリング条件に関するキーワードとして確定する。その後、設備エリア１４０４を選択すると、制御部１０が、ユーザの選択した「変電所１」をキーワード照会条件として確定し、かつ「変電所１」の被写体情報の設備エリア属性の属性情報に合致するキーワードを照会して、リスト１４０７「設備エリア１、設備エリア２、設備エリア３」を表示させるので、ユーザがその中から設備エリア「設備エリア１」を選択する。制御部１０が、「変電所１」、「設備エリア１」を、フィルタリング条件に関するキーワードとして確定する。明らかに、このような方式により、選択に供するキーワードの量が軽減されている。
【０１２３】
論理確定ユニットは、フィルタリング条件に関するキーワードのフィルタリング論理関係を確定するために用いられる。フィルタリング論理関係では、フィルタリング条件に関するキーワードが単一のキーワードである時のフィルタリング［はい・いいえ］関係であってよく、またフィルタリング条件に関するキーワードが複数の場合の、該複数のキーワードの相互間のＡＮＤ、ＯＲ、ＮＯＴの論理関係とフィルタリング［はい・いいえ］関係の結合であってもよく、デフォルトでもよいし、ユーザの設定に基づいて確定してもよい。
【０１２４】
単一キーワードの例では、フィルタリング条件に関するキーワードが、図１３に示すように、単一キーワード「設備エリア１」である場合、撮影条件の「はい」１３０１及び「いいえ」１３０２選択項は、フィルタリング［はい・いいえ］関係の設定に用いられる。「はい」を選択した場合、キーワードの「設備エリア１」と組み合わせて生成されるフィルタリング条件は後続の検索に用いられ、かつ「設備エリア１」に合致する被写体情報を撮影タスクとして確定する。「いいえ」を選択した場合、キーワードの「設備エリア１」と組み合わせて生成されるフィルタリング条件は、後続の検索に用いられ、かつ非「設備エリア１」に合致する被写体情報を確定する。
【０１２５】
本例では、論理確定ユニットが、デフォルトのフィルタリング［はい・いいえ］関係が「はい」であることに基づいて、フィルタリング［はい・いいえ］関係を「はい」と確定する。
【０１２６】
その後、ユーザが操作部１１を介して確定し、フィルタリング条件生成ユニット（制御部１０）が、デフォルトのフィルタリング［はい・いいえ］関係の「はい」をユーザが選択したキーワード「設備エリア１」と結合させて、フィルタリング条件を生成する。タスクを確定する場合は、検索したキーワード「設備エリア１」に合致する被写体情報を、確定の被写体情報とする。
【０１２７】
複数のキーワードの例では、フィルタリング条件に関するキーワードが、図１４のように「変電所１」、「設備エリア１」である場合、論理確定ユニットが、デフォルトのフィルタリング［はい・いいえ］関係が「はい」であることに基づいて、フィルタリング［はい・いいえ］関係を「はい」と確定し、かつ、論理確定ユニットが、デフォルトの論理関係（属性の異なるキーワードは「ＡＮＤ」関係）「ＡＮＤ」に基づいて、キーワード「変電所１」、「設備エリア１」の論理関係を「ＡＮＤ」と確定する。その後、ユーザが操作部１１を通して確定を行うと、フィルタリング条件生成ユニット（制御部１０）が、フィルタリング条件に関するキーワード「変電所１」、「設備エリア１」をデフォルトの論理関係「ＡＮＤ」と結び付け、デフォルトのフィルタリング［はい・いいえ］関係「はい」と結び付けて、フィルタリング条件を生成する。タスクを確定する場合は、検索したキーワード「変電所１」に合致し、かつ「設備エリア１」に合致する被写体情報を、確定の被写体情報とする。
【０１２８】
但し、これに限らず、論理確定ユニットでは、ユーザがキーワード間の論理関係を設定することができる（図示せず）。
【０１２９】
フィルタリング条件の設定が完了すると、ユーザは操作部中の確定キーにより確定を行い、生成されたフィルタリング条件は、一時記憶部６、またはフラッシュメモリ９などの中（コンフィグレーションファイルを生成するなど）に記録され、後の使用に供される。ステップＳ２０３に進む
ステップＳ２０３では、タスク確定部は、情報記憶部に記憶された被写体情報の中から被写体情報を確定するために用いられる。確定された複数の被写体情報は、その中から特別被写体情報を指定するために用いられるので、撮影タスクに含まれる被写体情報と理解することができる。「変電所１」及び「設備エリア１」をフィルタリング条件とする場合、情報記憶部が図１５に示すような被写体情報を記憶し、キーワード「変電所１」に合致し、かつ「設備エリア１」に合致する被写体情報を検索し、確定の被写体情報とする（図１６に示す被写体情報など）。
【０１３０】
ステップＳ２０４では、被写体情報のソート順序を確定する。
【０１３１】
本実施例では、図１７に示す１７０１のように、制御部１０の制御により、デフォルトのソート要素に基づいて、規定数量の被写体情報が取得した被写体指示情報を、表示部４の規定位置に表示する。その後、ユーザが表示された被写体指示情報に対してソート調整を行い、十字キーまたはタッチパネルによりドラッグ操作を行って、順序を配列する。
【０１３２】
また、ソート順序を表す数字などの情報を入力することにより、図１７の１７０２に示す被写体指示情報及びソート順序を取得することもできる。ここでは、前記ソート確定部が、前記表示部が表示した被写体指示情報に対するソート順序に応答して調整の予定操作を行うことにより、前記被写体指示情報に対応する被写体情報のソート順序を確定する。
【０１３３】
ステップＳ２０５では、特別被写体情報を指定する。
【０１３４】
ソート調整の完了後、ユーザが図１７の１７０２に示す被写体指示情報の「変電所１設備エリア１設備ＩＣ相」を選択すると、制御部１０が、該被写体指示情報に対応する被写体情報を特別被写体情報に指定し、ステップＳ２０６に進む。
【０１３５】
ステップＳ２０６では、撮影部１が撮影して得たサーモグラフィデータを一時記憶部６に伝送する。イメージ処理部２は、撮影部１が撮影したサーモグラフィデータについて擬似カラー処理を行い、赤外線サーモグラフィのイメージデータを取得して、一時記憶部６に記憶する。
【０１３６】
ステップＳ２０７では、特別被写体情報が取得した被写体指示情報と赤外線サーモグラフィを、表示部４に同時に表示する。
【０１３７】
ステップＳ２０８では、制御部が規定指示操作の有無を判断し、なければ、ステップＳ２０６〜Ｓ２０８を繰り返し、規定指示操作があれば、ステップＳ２０９に進む。
【０１３８】
ユーザが、表示インターフェース１７０２中の被写体指示情報「変電所１設備エリア１設備ＩＣ相」に基づいて、対応する被写体の撮影を完了し、その後、操作部１１の切換キー０２（本例では、記録及び切換操作を表すキーとして配置されている）を押すと、ワンキー操作により記録及び切換の操作を実現することができ、ここでは、ユーザは表示インターフェースに示す被写体情報を見ながら選択や検索を行う必要がないので、操作が簡単である。
【０１３９】
また、制御部１０が、規定条件、例えば、規定の時間間隔に合致すると判断した場合や、サーモグラフィ中の温度値が規定の閾値を超えた場合、或いはサーモグラフィ装置１３に接続されたその他のセンサのトリガ信号などの規定切換条件を検出した場合は、操作部１１からの切換指示がなくても、自動的に次のステップに進むことができる。規定条件には、操作部１１の操作、例えば記録指示操作が行われていても、規定の時間間隔に適合し、またはサーモグラフィ中の温度値が規定の閾値を超えるといったその他の規定条件を同時に満たす場合だけ、次のステップを行うことが含まれている。もちろん、規定条件は、予め配置されている各種の条件であってもよい。
【０１４０】
ステップＳ２０９では、処理を記録する。
【０１４１】
該操作の規定指示に応答して、制御部１０が、規定の赤外線データと指定された被写体情報「変電所１設備エリア１設備ＩＣ相」に関する情報の関連付け記録を行う。記録処理は実施例１の説明とほぼ同じであるので、ここでは繰り返さない。その後、ステップＳ２１０に進む。
【０１４２】
ステップＳ２１０では、制御部１０が、タスクが完了したかどうかを判断する。
【０１４３】
完了している場合は、その回の情報指示撮影モードの撮影を終了し、サーモグラフィ装置の待機状態に戻り、ユーザが再び「設備エリア２」、「設備エリア３」のタスク設定及び撮影を行うのを待つ。完了していない場合は、ステップＳ２０５に戻り、ソート順序に基づいて切換を行い、切換前に指定した特別被写体情報としての被写体情報「変電所１設備エリア１設備ＩＣ相」を、「変電所１設備エリア１設備ＩＢ相」に切り換える。
【０１４４】
本実施例では、情報モードに入った後、タスクの設定を行う。但し、これに限らず、新しいデータファイルを生成するなど、先にタスク設定を行ってから、情報モードに進むこともできる。
【０１４５】
また、タスクの設定は何回も行うことができ、様々な組み合わせによって、より多くの実施形態を得ることができる。また、本実施例では、記録指示操作及び切換指示操作を表すために配置された単独のキー（切換キーなど）、及び相応の制御プログラムを有しており、該キーの規定指示操作（同一操作動作など）または規定の条件に応答して、制御部１０が、ステップＳ２０９の記録処理及びステップＳ２１０の切換処理の制御を連続して行うので、
操作がより簡単になっている。本実施例では、「変電所１設備エリア１設備ＩＣ相」を記録してから、「変電所１設備エリア１設備ＩＢ相」に切り換えるというように、まず記録処理を行ってから切換処理を行っているが、先に切換処理を行って、即ち「変電所１設備エリア１設備ＩＢ相」に切り換えてから、切換前に指定した特別被写体情報「変電所１設備エリア１設備ＩＣ相」と規定の赤外線データの関連付け記録を行ってもよい。記録部が、記録指示操作に応答し、または規定の記録条件に基づいて、規定の赤外線データと指定された特別被写体情報に関する情報の関連付け記録を行うために用いられるという状況も含まれている。
【０１４６】
内部の動作原理及びステップを正確に説明するために、実施例では段階的な説明方式を採用しているが、実際の実施過程では、ユーザ操作の便宜を図るために、異なる実施形態を採用して操作上から最適化を行うことができる。例えば、同一（回）操作に基づき、及び／または規定条件により、記録及び切換を連続して行う動作は、操作をより便利にすることができ、同一操作、例えば同じキーに対する同じ操作動作は、上で述べた複数のステップを完了させることができ（記録指示操作及び切換指示操作の完了など）、また、同一キーに対する同一操作における異なる操作動作（半押しと全押しなど）においては、該同一操作中の異なる操作動作が、上で述べた１つまたは複数のステップ（記録指示操作及び切換指示操作を個別に完成させたり、または記録指示操作と切換指示操作を同時に完成させたりするなど）、または異なるキーに対する規定時間内の操作動作（個別に完了することができる記録指示操作及び切換指示操作、または同時に完了することができた記録指示操作及び切換指示操作など）を個別に実現している。様々な切換指示操作及び記録指示操作などの配置の組み合わせ（キーの機能の組み合わせ、操作動作などの機能の組み合わせなど）を行うことにより、より多くの実施形態を得ることができる。しかも、上記の操作はキーに限定されないので、タッチパネルのような他の操作部材により完成させることもできる。
【０１４７】
好適な形態では、凍結指示操作に応答し、または規定の凍結条件に基づいて、赤外線サーモグラフィに対して凍結表示を行う凍結制御部をさらに有する。例えば、凍結キー（凍結指示操作を行うために配置）を押すと、赤外線サーモグラフィに対して凍結表示が行われるので、ユーザは赤外線サーモグラフィに対して記録の確認を行うことができる。
【０１４８】
また、切換キー０２が凍結／確認の操作機能を行うために配置されており（記録ステップの前に凍結表示及び確認のステップがある場合）、この他にも、制御部１０は、その他の規定凍結条件、例えば、規定の時間間隔に合致すると判断し、またはサーモグラフィ中の温度値が規定の閾値を超え、或いはサーモグラフィ装置１３に接続されたその他のセンサのトリガ信号を検出したといった規定凍結条件に基づいて、操作部１１の凍結操作が行われていなくても、自動的に凍結処理を実行することができる。規定凍結条件には、操作部１１の凍結操作が行われていても、規定の時間間隔に適合し、またはサーモグラフィ中の温度値が規定の閾値を超えるといったその他の規定条件を同時に満たす場合だけ、凍結処理を行うことが含まれている。凍結指示操作と切換指示操作や記録指示操作などの配置を組み合わせることにより、より多くの実施形態が得られることは明らかである。
【０１４９】
上で述べたように、撮影タスク中の被写体情報のフィルタリング条件を設定することにより、余分な情報の表示を減らし、被写体指示情報の数を少なくし、表示する被写体指示情報のソート順序の調整をしやすくすることができる。また、撮影経路が事前に明らかになるので、その後の撮影では、強度を下げ、効率を上げ、被写体の遺漏を回避するという目的を達成することができる。
【０１５０】
［実施例３］
本実施例は、図１と同じ構造を有するサーモグラフィ装置１３、フラッシュメモリ９に、グループソート及びフィルタリング条件を設定するための制御プログラムと、フィルタリング条件に基づいて被写体情報を確定する制御プログラムが記憶されており、ユーザが図１１に示す変電所１の設備エリア１、設備エリア２、設備エリア３における「設備Ｉ」タイプの電力設備に対して赤外線検査を行うシーンを例に挙げている。これまでは、検査の目的が異なるため、変電所全体のすべての被写体の検査もあれば、特定の種類の被写体の検査もあり、これら特定種類の被写体が様々な設備エリアに分布しているため、ユーザがこれを探さなければならず、非常に不便であった。被写体情報をフィルタリング条件にすれば、ユーザの撮影に役立てることができるのは明らかである。
【０１５１】
実施例１とは異なり、図２１に示すように、メモリカードには３件のデータファイルが記憶されており、データファイル１（リスト２１０１）は、ソート順序が付加された、設備エリア１に関する被写体情報を含み、データファイル２（リスト２１０２）は、ソート順序が付加された、設備エリア２に関する被写体情報を含み、データファイル３（リスト２１０３）は、ソート順序が付加された、設備エリア３に関する被写体情報を含む。
【０１５２】
最も効率のよい撮影経路を計画するために、ユーザは変電所のレイアウト図に基づいて、データファイル間のソート順序を設定し、その後、「設備Ｉ」をフィルタリング条件として、撮影を行う。図１８〜図２２を参照して本実施例を説明する。
【０１５３】
ステップＳ３０１では、制御部１０が、ユーザが操作部１１を通して情報モードを選択したかどうかを継続的に監視し、選択された場合は、ステップＳ３０２に進む。
【０１５４】
ステップＳ３０２では、データファイル間のソート要素を設定する。
【０１５５】
制御部１０の制御により、表示部に、図３に示す設定メニューを表示させ、ユーザがその中から図３に示すグループ設定項３０１を選択すると、情報記憶部に記憶されたデータファイル（グループ）に基づいて、図１８に示すデータファイルリスト１８０２を表示させ、ユーザが、リストの中のデータファイルに対してソート要素を設定し（ソートリスト１８０１）、設定が完了して確定した後、図３に示す設定メニューに戻り、ユーザがその中から再びフィルタリング条件設定項３０３を選択して、ステップＳ３０３に進む。
【０１５６】
情報記憶部は、複数グループの被写体情報を予め記憶するために用いられ、グループソートの設定部は、グループ間のソート要素を設定するために用いられる。ここで言うグループとは、データファイルやファイルホルダなどのような、共同グループ標識を有し、複数の被写体情報を含む集合であってよい。また、グループソートの完了後に、再び同じグループの被写体情報に対してソート要素の設定やチェックを行うこともできる。
【０１５７】
ステップＳ３０３では、フィルタリング条件を設定する。
【０１５８】
タスク設定部は、ユーザが（撮影タスクに含まれる被写体情報の）フィルタリング条件を設定するために用いられる。
【０１５９】
制御部１０は、図２０に示すフィルタリング条件設定インターフェースを表示させており、ある実施形態では、制御部１０が、ユーザがその回で撮影した「設備Ｉ」に基づいて選択した設備種類２００１に基づいて、ステップＳ３０２で確定したデータファイル１、２、３の中の被写体情報を照会し、規定属性（設備種類）の属性情報のキーワード「設備Ｉ、設備ＩＩ、設備ＩＩＩ」を取得し、リスト２００２に表示させ、ユーザがその中からその中の「設備Ｉ」を選択すると、デフォルトのフィルタリング［はい・いいえ］関係「はい」に基づいて、キーワード「設備Ｉ」と結び付けてフィルタリング条件を生成する。ユーザが設定を完了し、かつ図３に示す確定項３００を確定して、ステップＳ３０４に進む。また、実施例２のステップＳ２０２で述べたその他の確定方法を採用して、フィルタリング条件を確定することもできる。
【０１６０】
ステップＳ３０４では、被写体情報及びそのソート順序を確定する。
【０１６１】
ステップＳ３０３で確定したフィルタリング条件に基づき、データファイル１、２、３において、キーワード「設備Ｉ」に合致する被写体情報を検索して確定の被写体情報とし、ステップＳ３０２で設定したグループソート要素及び各グループの被写体情報のソート要素を結合させる。確定された被写体情報及びそのソート順序は、図２１のイメージリスト２１０４に示す通りであり、その中で、タスク確定前のデータファイル１、２、３と比較すると、「設備エリア２」、「設備ＩＩ」及び「設備ＩＩＩ」が減少しており、設備の撮影任務数が「６」に減っている。つまり、撮影タスクを特定する際の撮影経路が簡略化され、「設備エリア２」中の「設備Ｉ」に対する検索作業が回避されて、作業強度が低くなっていることが明らかなのである。
【０１６２】
ステップＳ３０５では、特別被写体情報を指定する。
【０１６３】
制御部１０の制御により、確定された被写体情報に付加されたソート順序中の首位の被写体情報「変電所１設備エリア１設備ＩＣ相」を、特別被写体情報に指定する。
【０１６４】
ステップＳ３０６では、撮影部１が撮影して得たサーモグラフィデータを一時記憶部６に伝送する。イメージ処理部２は、撮影部１が撮影したサーモグラフィデータについて擬似カラー処理を行い、赤外線サーモグラフィのイメージデータを取得して、一時記憶部６に記憶する。
【０１６５】
ステップＳ３０７では、特別被写体情報が取得した被写体指示情報と赤外線サーモグラフィを、表示部４に同時に表示する。
【０１６６】
ステップＳ３０８では、制御部が規定指示操作の有無を判断し、なければ、ステップＳ３０６〜Ｓ３０８を繰り返し、あれば、ステップＳ３０９に進む。
【０１６７】
ユーザが、対応する被写体の撮影を完了した後、操作部１１の切換キー０２（本例では記録及び切換指示操作を表すキーとして配置されている）を押すと、ワンキー操作により記録及び切換の操作を完了させることができ、操作が簡単である。
【０１６８】
ステップＳ３０９では、処理を記録する。
【０１６９】
該操作の規定指示に応答して、制御部１０が、規定の赤外線データと指定された被写体情報に関する情報の関連付け記録を行う。記録処理は実施例１の説明と略同じであるので、ここでは繰り返さない。その後、ステップＳ３１０に進む。
【０１７０】
ステップＳ３１０では、制御部１０が、タスクが完了したかどうかを判断する。
【０１７１】
完了している場合は、その回の情報指示撮影モードの撮影を終了し、サーモグラフィ装置の待機状態に戻り、ユーザがその他のモードの操作を行うのを待つ。完了していない場合は、ステップＳ３０５に戻り、確定したソート順序の被写体情報に基づいて、ソート順序に基づく切換指定を行う。
【０１７２】
本実施例では、ユーザが設備エリア１の設備Ｉの撮影を完了すると、設備エリア３中の設備Ｉに撮影を移動して、設備エリア２の設備Ｉの検索を回避する。図２２の設備エリア１（２２０１）、設備エリア２（２２０２）、設備エリア３（２２０３）の撮影経路は、図１１中のＬ１１から図２２中のＬ２２に変わっている。
【０１７３】
上で述べたように、グループ間のソート要素を設定することにより、グループに対してソートを行うショートカット操作を提供している。フィルタリング条件を設定することで、余分な情報の表示を減らすことができ、表示する被写体指示情報がより指導性を持つようになるとともに、撮影経路を簡略化して、強度を下げ、効率を上げ、遺漏を回避するという目的を達成する。各種の様々なフィルタリング条件を設定すると、明らかに、ユーザの撮影に非常に便利である。被写体情報の中に履歴（過去の欠陥状況など）の属性情報がある場合、ユーザは、欠陥の状況を検索することにより、欠陥被写体の関連情報を速やかに探し出すことができ、再検査に役立つ。
【０１７４】
［実施例４］
本発明は、上記の実施例において、撮影機能を有するサーモグラフィ装置１３に用いられており、また外部からサーモグラフィデータを受け取って処理する赤外線処理装置などにも応用することができる。
【０１７５】
本実施例では、赤外線処理装置１００を赤外線記録装置の実例としている。実施例では、図２４のように、サーモグラフィ収集装置１０１が、クレードルなどを用いて検査車両に架設されており、専用ケーブルなどの通信ライン、または有線や無線の方式により構成されるローカルエリアネットワークなどの方法を通して、赤外線処理装置１００と接続されている。ユーザは、赤外線処理装置１００により、被写体のサーモグラフィを観察する。
【０１７６】
サーモグラフィ収集装置１０１は、赤外線処理装置１００と接続されて、実施形態における赤外線撮影システムを構築する。
【０１７７】
参考図２３は、赤外線処理装置１００とサーモグラフィ収集装置１０１を接続して構成された赤外線撮影システムで実施される電気構造のブロック図である。
【０１７８】
赤外線処理装置１００は、通信インターフェース１と、補助記憶部２と、表示制御部３と、表示部４と、ハードディスク５と、一時記憶部６と、操作部７と、バスを介して上記の部材と接続され、全体の制御を行うＣＰＵ８を有する。赤外線処理装置１００は、コンピュータや、専用の処理装置であってよい。赤外線処理装置１００は、ＣＰＵ８の制御に基づき、通信インターフェース１を介して、赤外線処理装置１００と接続されたサーモグラフィ収集装置１０１が出力するサーモグラフィデータを受け取る。そのうち、通信インターフェース１は、サーモグラフィ収集装置１０１が出力するサーモグラフィデータを連続的に受け取るために用いられる。その中には、中継装置を介して送信される（サーモグラフィ収集装置１０１が出力したサーモグラフィデータが中継装置を通して送信される）サーモグラフィデータを受け取ることが含まれる。同時に、サーモグラフィ収集装置１０１に対して制御を行う通信インターフェースとすることもできる。ここでは、通信インターフェース１は、ネットワークインターフェース、ＵＳＢインターフェース、１３９４インターフェース、ビデオインターフェースなどの、赤外線処理装置１００上の各種の有線または無線の通信インターフェースであってよい。補助記憶部２は、ＣＤ−ＲＯＭやメモリカードなどの記憶媒体及び関連するインターフェースなどである。表示制御部３は、ＣＰＵ８の制御に基づいて、表示イメージを表示部４に表示する。表示部４は液晶ディスプレイなどであり、赤外線処理装置１００自体の電気構造においては、ディスプレイはなくてもよい。ハードディスク５には、制御のためのプログラムと、制御において使用する各種のデータが記憶されている。ＲＡＭ、ＤＲＡＭなどの揮発性メモリである一時記憶部６は、通信インターフェース１が受け取るサーモグラフィデータを一時保存するキャッシュメモリであり、かつＣＰＵ８の動作メモリとしての役割も果たす。操作部７は、ユーザが操作を行うために用いられる。ＣＰＵ８は、赤外線処理装置１００の全体の動作を制御し、各種の関連処理を実行する。例えば、受け取ったサーモグラフィデータに対して、修正、補間、擬似カラー、合成、圧縮、解凍といった規定の処理を実施して、表示用、記録用などに適したデータへの変換処理が行われる。例えば、受け取ったサーモグラフィデータが圧縮されたサーモグラフィＡＤデータである場合、規定の処理としては、取得部が受け取ったサーモグラフィデータに対して、ＣＰＵ８が解凍及び相応の擬似カラー処理を行う。
【０１７９】
例えば、受け取ったサーモグラフィデータ自体が圧縮済みの赤外線サーモグラフィのイメージデータである場合は、解凍して赤外線サーモグラフィのイメージデータを取得する。
【０１８０】
例えば、通信インターフェース１が受け取ったものがアナログの赤外線サーモグラフィである場合は、関連するＡＤ変換回路を通してＡＤ変換した後、デジタルの赤外線サーモグラフィのイメージデータを取得する。
【０１８１】
サーモグラフィ収集装置１０１は、通信インターフェース１０、撮影部２０、フラッシュメモリ３０、一時記憶部５０、イメージ処理部４０、ＣＰＵ６０などにより構成される。
【０１８２】
そのうち、ＣＰＵ６０は、サーモグラフィ収集装置１０１の全体的な動作を制御し、フラッシュメモリ３０中には制御プログラム及び各部分の制御に使用される各種データが記憶されている。撮影部２０は、サーモグラフィデータを撮影して取得するために用いられ、一時記憶部５０は処理したデータを一時記憶するために用いられ、イメージ処理部４０は例えば撮影したサーモグラフィデータに対して圧縮などの処理を行い、ＣＰＵ６０は処理後のサーモグラフィデータを通信インターフェース１０を通して出力することを制御する。
【０１８３】
サーモグラフィ装置１３中から撮影部１以外の構造を取り除くと、赤外線処理装置１００とほぼ同じになるので、外部からサーモグラフィデータを受け入れて取得することで、同様に本実施例を適用していることは明らかである。よって、実施形態の説明は省略する。
【０１８４】
明らかに、赤外線処理装置１００は、各種のハンディ式熱画像形成装置などの赤外線撮影機能を有する各種のサーモグラフィ収集装置と組み合わせて使用することができる。
【０１８５】
［その他の実施形態］
しかし、上記の実施例においても、情報モードがフィルタリング条件及びソート要素設定を含んでいることに注意が必要である。これに限らず、フィルタリング条件及びソート要素の設定は必ずしも必須ではなく、デフォルトのフィルタリング条件またはデフォルトのソート要素に基づいて、被写体情報及びソート順序を確定することもできる。
【０１８６】
また、フィルタリング条件またはソート要素の設定を単独で行い、後続での使用に供することもできる。例えば、先にフィルタリング条件及びソート要素の設定を行い、かつデフォルト値またはコンフィグレーションファイルとして保存した上で、後続の使用に供してもよいし、新しいデータファイルを生成するなど、フィルタリング条件及びソート要素に基づいて、ソート順序が付加された被写体情報を取得し、その後、改めて情報モードに入ってもよい。
【０１８７】
また、好適な形態では、先にフィルタリング条件を設定し、その後にソート要素の設定を行う。但し、これに限らず、フィルタリング条件設定ステップとソート設定ステップは、前後の順序を区別しなくてもよいし、同一操作インターフェースで同時に設定を行ってもよい。また、フィルタリング条件やソート要素の重複設定を行うこともできる。
【０１８８】
また、上記の実施例では、フィルタリング条件設定ステップ、ソート順序設定ステップ、タスク確定ステップ、ソート確定ステップがステップ別に説明されているが、フィルタリング条件が設定されると、タスク確定部が直ちにフィルタリング条件に基づいて被写体情報の確定を行うというような、即時進行式の処理として配置することもできる。
【０１８９】
キーワードのソート要素を設定すると、ソート確定部が、前記タスク確定部が確定した被写体情報のソート順序を確定する。設定に対してすべての確定を行い、図３の確定項３００を確定した場合は、特別被写体情報の指定ステップの処理に進む。
【０１９０】
また、表示部４のディスプレイユニットは、１つ以上配置することができ、赤外線サーモグラフィを表示するディスプレイもあれば、被写体情報を専門に表示するディスプレイもあり、表示制御部が示す同時表示の表示制御は、同一ディスプレイ上の同時表示でも、異なるディスプレイ上の同時表示でもよい。
【０１９１】
好適には、被写体指示情報を、連続した赤外線サーモグラフィと同時に表示する。
【０１９２】
これに限らず、例えば表示部４に動態の赤外線サーモグラフィを表示することもでき、規定の特別表示の被写体指示情報の表示指示を受け取った場合は、該被写体指示情報を、凍結された赤外線サーモグラフィと同時に表示する。また、被写体情報と赤外線サーモグラフィの切り替え表示でもよい。つまり、表示制御部が、被写体情報の表示指示に応答する場合だけ、特別表示の方式で、情報指定部が指定した特別被写体情報に基づいて取得した被写体指示情報を表示し、その後、切換の操作を行い、かつ切換後の被写体指示情報を特別表示するか、または赤外線サーモグラフィの表示に戻すよう切り換えるか、または記録処理を行うことができる。また、特別表示の後は、表示規定時間後に基づいて、またはユーザの操作に基づいて消去すれば、表示画面の占用を回避することもできる。また、上記の実施例では、切換操作を行わなくてもよく、ユーザが、ソート順序に基づいて表示された複数の被写体情報に対する選択を行い、情報指定部が、ユーザの選択に基づいて、その中の特別被写体情報としての被写体情報を指定した後、記録を行う。このような方式では、ユーザの選択が簡単である。
【０１９３】
上記の動作ステップを様々に組み合わせることにより、より多くの実施形態が得られることは明らかである。また、上記の動作モードを様々に組み合わせることにより、より多くの実施形態が得られることは明らかである。
【０１９４】
また、本発明の赤外線記録装置を熱画像形成装置の一部材とすることで、表示制御部を省いても本発明を構成できることは明らかである。
【０１９５】
実施例の例示においては、数量の比較的少ない被写体情報により例示的説明を行っているが、実際の赤外線検査作業では、被写体数が非常に多いので、本発明の実施形態を採用することによりもたらされる効果は顕著である。被写体に複数の角度からの撮影要求がある場合も、撮影角度情報を有する被写体情報を予め記憶した上で、ソートにおいて、撮影角度のソート要素を設定する。
【０１９６】
また、専用回路や汎用プロセッサ、またはプログラマブルＦＰＧＡを用いて、本発明の実施形態における一部または全部の部材の処理及び制御機能を実現することもできる。
【０１９７】
ハードウェア、ソフトウェアまたはその結合により付属図中の機能ブロックを実現することはできるが、通常は、一対一の対応方式で機能ブロックを実現するという構造を設定する必要はない。例えば、１つのソフトウェアまたはハードウェアユニットにより複数の機能のブロックを実現することもできるし、また複数のソフトウェアまたはハードウェアユニットにより１つの機能のブロックを実現することもできる。
【０１９８】
また、実施例では、電力業界の被写体の応用をシーンとして例に挙げているが、赤外線検査を行う各業界での幅広い運用にも適用される。
【０１９９】
上記で述べていることは、発明の具体的実施形態にすぎず、各種の例示説明は、発明の実質的な内容に対する限定を構成するものではない。当業者であれば、明細書を閲読した後、発明の実体及び範囲から離れることなく、具体的実施形態に対して、他の修正や変更を行うことができる。
【図１】
0006272635.tif 000002
【図２】
0006272635.tif 000003
【図３】
0006272635.tif 000004
【図４】
0006272635.tif 000005
【図５】
0006272635.tif 000006
【図６】
0006272635.tif 000007
【図７】
0006272635.tif 000008
【図８】
0006272635.tif 000009
【図９】
0006272635.tif 000010
【図１０】
0006272635.tif 000011
【図１１】
0006272635.tif 000012
【図１２】
0006272635.tif 000013
【図１３】
0006272635.tif 000014
【図１４】
0006272635.tif 000015
【図１５】
0006272635.tif 000016
【図１６】
0006272635.tif 000017
【図１７】
0006272635.tif 000018
【図１８】
0006272635.tif 000019
【図１９】
0006272635.tif 000020
【図２０】
0006272635.tif 000021
【図２１】
0006272635.tif 000022
【図２２】
0006272635.tif 000023
【図２３】
0006272635.tif 000024
【図２４】
0006272635.tif 000025